【事件の表示】
　特許第３４０９０４５号「フイルム画像入力方法及び装置」の請求項１、２、４、７、８、１７ないし２０、２２ないし２４、２８ないし３０、３４ないし３６に係る特許に対する特許異議の申立てについて特許庁がした取消決定を不服として、特許権者が同取消決定の取り消しを求めて東京高等裁判所に提起した訴えについて、知的財産高等裁判所において、同取消決定のうち一部を取り消す旨の判決の言渡しがあったので、さらに審理をした結果、次のとおり決定する。
【結　論】
　訂正を認める。
　特許第３４０９０４５号の請求項１、２、４、７、８、１８、１９、２０、２２、２３、２４、２９、３０に係る特許を取り消す。
　同請求項１７、２８、３４、３５、３６に係る特許を維持する。
【理　由】
１．手続の経緯  
　（ａ）本件特許 
　本件特許第３４０９０４５号に係る発明についての出願は、平成５年１２月２４日の出願であり（特願平５−３２７１９４号）、平成１５年３月２０日にその特許権の設定の登録がされた（権利者：富士写真フイルム株式会社、請求項の数：４４）。
　（ｂ）特許異議の申立て 
　小川鐵夫（特許異議申立人）から、平成１５年１１月１９日に、特許異議の申立てがあった（本件特許異議の申立て）。
　その後、取消しの理由が通知され、その通知で指定された期間内の平成１６年９月２１日に訂正請求書の提出があった。 
　本件特許異議の申立てについて、平成１７年２月９日付けで「訂正を認める。特許第３４０９０４５号の請求項１、２、４、７、８、１７ないし２０、２２ないし２４、２８ないし３０、３４ないし３６に係る特許を取り消す。」旨の決定がされた（先の決定）。  
　（ｃ）訴えの提起
　特許権者は、平成１７年３月２８日に、「特許庁が異議２００３−７２８３１号事件について平成１７年２月２５日にした取消決定を取り消す。」ことを求める訴えを東京高等裁判所に提起した（平成１７年（行ケ）第１２７号）。
　（ｄ）訂正審判の請求
　特許権者は、上記訴訟の係属中の平成１７年８月１０日に、本件特許に係る明細書の訂正をすることについて審判を請求した（訂正２００５−３９０５４号）。
　上記訂正審判の請求について、平成１７年４月２６日付けで、「特許第３４０９０４５号に係る明細書及び図面を本件審判請求書に添付された訂正明細書及び図面のとおり訂正することを認める」旨の審決がされ、その謄本は特許権者に送達され審決は確定した（審決確定日：平成１７年５月１１日、審決確定後の請求項の数：４４）。 
　（ｅ）判決
　上記訴訟は、知的財産高等裁判所において平成１７年（行ケ）第１０３９９号事件として審理され、平成１８年４月２６日に、「特許庁が異議２００３−７２８３１号事件について平成１７年２月９日にした決定のうち、請求項１７、２８、３４ないし３６に係る特許を取り消した部分を取り消す。」旨の判決の言渡しがあった。  
　
２．特許異議の申立て 
（１）申立ての概要
　特許異議の申立ての理由は、概略、下記のとおりである。
　　　　　記（申立ての理由）
　　対象請求項：１、２、４、７、８、１７、１８、１９、２０、２２、
　　　　　　　　２３、２４、２８、２９、３０、３４、３５、３６
　　違反条項　：特許法第２９条第１項３号
　　　　　　　　特許法第２９条第２項
　　証拠方法　：特開平５−８３６２６号公報（甲第１号証）
　　　　　　　　特開平５−２６０３７２号公報（甲第２号証）
　　　　　　　　特開平１−３０９５７５号公報（甲第３号証）
　　　　　　　　特開平５−７５９２２号公報（甲第４号証）
　　　　　　　　特開平５−１４５８４１号公報（甲第５号証）
　　　　　　　　特開平４−３１０９３９号公報（甲第６号証）
　　　　　　　　実開平３−６９１４５号公報（甲第７号証）
　
（２）取消しの理由
　当審が通知した取消しの理由は、概略、下記のとおりである。
　　　　　記（取消しの理由）
　本件特許の請求項（下記の左欄に掲げる請求項）に係る各発明は、いずれも、本件出願前に頒布された刊行物（申立ての証拠方法に掲げる刊行物のうち、下記の右欄に各請求項に対応して記載した刊行物。ただし、甲第７号証にあっては実願平１−１３１８７２号（実開平３−６９１４５号）のマイクロフィルム。）に記載された発明に基づいて当業者が容易に発明をすることができたものであり、特許法第２９条第２項の規定により特許を受けることができない。これらの請求項に係る各特許は、いずれも、拒絶の査定をしなければならない特許出願に対してされたものであり、取り消すべきものである。
　　　　　記（取り消すべき請求項および引用刊行物）
　　請求項１　：甲第１号証及び甲第２号証
　　請求項２　：甲第１号証及び甲第２号証
　　請求項４　：甲第１号証から甲第３号証まで
　　請求項７　：甲第１号証、甲第２号証及び甲第４号証
　　請求項８　：甲第１号証、甲第２号証、甲第４号証及び甲第５号証
　　請求項１７：甲第７号証及び甲第４号証
　　請求項１８：甲第１号証
　　請求項１９：甲第１号証及び甲第２号証
　　請求項２０：甲第１号証から甲第３号証まで
　　請求項２２：甲第１号証から甲第３号証まで
　　請求項２３：甲第４号証及び甲第１号証
　　請求項２４：甲第４号証及び甲第４号証
　　請求項２８：甲第６号証、甲第７号証及び甲第４号証
　　請求項２９：甲第１号証、甲第２号証及び甲第４号証
　　請求項３０：甲第１号証、甲第２号証及び甲第４号証
　　請求項３４：甲第７号証及び甲第４号証
　　請求項３５：甲第６号証、甲第７号証及び甲第４号証
　　請求項３６：甲第６号証、甲第７号証、甲第４号証及び甲第１号証
　
３．本件特許に係る発明 
（１）判決の説示
　判決の説示は以下のとおりである。
　　　　　記（判決の説示）
　「１４　取消事由１４（訂正審決確定に伴う取消し）
　甲１２、１３及び弁論の全趣旨によれば、本件発明１７、２８、３５について特許請求の範囲の減縮を目的とする訂正を認める審決が確定したとの事実が認められ、本件発明３４は本件発明１７をさらに限定したものであり、本件発明３６は本件発明３５をさらに限定したものであるから、結果的に本件発明１７、２８、３４ないし３６の要旨の認定を誤ったことになり、これらの請求項について決定は取り消されるべきものである。
　１５　結論
　よって、原告の請求は、本件発明１７、２８、３４ないし３６についての決定の取消を求める限度で理由があり、その余は理由がないので棄却されるべきである。」
　
（２）本件特許に係る発明
　判決の趣旨に従えば、本件特許の請求項１から請求項４４までに係る発明は、訂正審判（訂正２００５−３９０５４号）の審判請求書により訂正され、平成１６年９月２１日の訂正請求書により訂正された、願書に添付した明細書の特許請求の範囲の請求項１から請求項４４までに記載された事項により構成される下記のとおりのものである。 
　　　　　記（特許請求の範囲）  
　【請求項１】　長尺の現像済みスチル写真フイルムの給送方向と直交する方向に光電変換素子が配列されたラインセンサを設け、
　前記フイルムを全コマにわたって第１の速度で連続給送することにより前記ラインセンサを介して全コマの粗い画像データをそれぞれ取り込み、
　前記取り込んだ粗い画像データに基づいてコマ毎の撮影条件を検知し、
　その後、１コマの再生時には前記フイルムを前記第１の速度よりも低速の第２の速度で給送することにより、前記ラインセンサを介して所望のコマの細密画像データを前記検知した当該コマの撮影条件に応じて調整して取り込み、
　前記取り込んだ細密画像データに基づいて画像信号をモニタに出力することを特徴とするフイルム画像入力方法。
　【請求項２】　前記撮影条件は前記フイルムに写し込まれたコマの明るさであり、前記所望のコマの細密画像データの取り込みに際し、当該コマの明るさに応じて前記ラインセンサに対する露光を制御することを特徴とする請求項１のフイルム画像入力方法。
　【請求項３】　前記撮影条件は前記フイルムに写し込まれたコマの白バランス状態であり、前記所望のコマの細密画像データの取り込みに際し、当該コマの白バランス状態に応じて白バランスを調整することを特徴とする請求項１又は２のフイルム画像入力方法。
　【請求項４】　前記全コマの粗い画像データに基づいてｎ×ｍコマのインデックス画像を作成し、該インデックス画像をモニタに表示するようにしたことを特徴とする請求項１のフイルム画像入力方法。
　【請求項５】　前記撮影条件の検知後、前記第２の速度よりも速い速度で再度前記フイルムを連続給送することにより、前記ラインセンサを介して前記検知したコマ毎の撮影条件に応じてそれぞれ調整された全コマの粗い画像データを取り込み、この粗い画像データに基づいてｎ×ｍコマのインデックス画像を作成し、該インデックス画像をモニタに表示するようにしたことを特徴とする請求項１のフイルム画像入力方法。
　【請求項６】　前記各コマのコマ数が前記ｎ×ｍコマよりも多い場合には、前記ｎ×ｍコマのインデックス画像を上下又は左右にスクロールさせて全コマを表示するようにしたことを特徴とする請求項４又は５のフイルム画像入力方法。
　【請求項７】　前記フイルムは磁気データが記録される磁気記録層を有し、前記フイルムが第１の速度で連続給送中に前記磁気記録層から全コマ分の磁気データを読み取り、その読み取った磁気データに基づいてフイルム画像を再生することを特徴とする請求項１又は５のフイルム画像入力方法。
　【請求項８】　前記磁気データは、コマ番号、画像の縦横比に対応するフォーマット、プリント枚数、カメラでの撮影条件、タイトル及び撮影日／時刻などのうちの少なくとも１つを示すデータである請求項７のフイルム画像入力方法。
　【請求項９】　前記フイルムは磁気データが記録される磁気記録層を有し、この磁気記録層から読み取った磁気データに基づいて撮影日時が略同一であるコマが複数あることが検知されると、これらのコマの撮影条件を一致させるようにしたことを特徴とする請求項１又は７のフイルム画像入力方法。
　【請求項１０】　長尺の現像済みスチル写真フイルムの給送方向と直交する方向に光電変換素子が配列されたラインセンサを設け、
　予め前記フイルムを連続給送することにより前記ラインセンサを介して全コマの画像データをそれぞれ取り込み、
　前記取り込んだ全コマの画像データに基づいて複数コマのインデックス画像を示す画像信号をモニタに出力することによりインデックス画像をモニタに表示し、前記モニタに表示されたインデックス画像を見ながら各コマの表示方法を含む設定を行うとともに、その設定を示す設定データを記憶し、
　その後、所望のコマの画像データに基づく１コマの再生時に当該コマの設定データに対応して処理した画像信号をモニタに出力し、
　前記複数コマのインデックス画像はｎ×ｍコマのインデックス画像であり、全コマのコマ数が前記ｎ×ｍコマよりも多い場合には、前記ｎ×ｍコマのインデックス画像を上下又は左右にスクロールさせて全コマを表示するようにしたことを特徴とするフイルム画像入力方法。
　【請求項１１】　長尺の現像済みスチル写真フイルムの給送方向と直交する方向に光電変換素子が配列されたラインセンサを設け、
　前記フイルムを連続給送することにより該フイルム上から全コマのコマ番号を取り込むとともに、前記ラインセンサを介して全コマの画像データをそれぞれ取り込み、
　前記取り込んだ各コマのコマ番号及び各コマの画像データに基づいてコマ番号がスーパーインポーズされた複数コマのインデックス画像を示す画像信号を生成し、
　前記画像信号をモニタに出力することによってコマ番号がスーパーインポーズされた複数コマのインデックス画像をモニタに表示し、
　前記コマ番号の取り込みは、前記フイルムのコマに対応して穿設されているパーフォレーションをカウントすることにより行うことを特徴とするフイルム画像入力方法。
　【請求項１２】　長尺の現像済みスチル写真フイルムの給送方向と直交する方向に光電変換素子が配列されたラインセンサを設け、
　前記フイルムを連続給送することにより該フイルム上から全コマのコマ番号を取り込むとともに、前記ラインセンサを介して全コマの画像データをそれぞれ取り込み、
　前記取り込んだ各コマのコマ番号及び各コマの画像データに基づいてコマ番号がスーパーインポーズされた複数コマのインデックス画像を示す画像信号を生成し、
　前記画像信号をモニタに出力することによってコマ番号がスーパーインポーズされた複数コマのインデックス画像をモニタに表示し、
　前記フイルムは単一のスプールを有するフイルムカートリッジに収納され、前記フイルムにはカメラでの撮影時のフイルム巻取方向を示すノーマルワインド／プリワインドを示すデータが光学的又は磁気的に記録され、前記データに基づいて各コマの撮影順番とコマ番号の順番とを一致させて表示させるようにしたことを特徴とするフイルム画像入力方法。
　【請求項１３】　前記フイルムに前記プリワインドを示すデータが記録されている場合には、前記連続給送時に１、２、…、Ｎ−１、Ｎの順番に順次取り込んだ画像データに対しＮ、Ｎ−１、…、２、１のコマ番号を付与するようにしたことを特徴とする請求項１２のフイルム画像入力方法。
　【請求項１４】　前記フイルムに前記プリワインドを示すデータが記録されている場合には、前記フイルムの給送方向を逆方向にするようにしたことを特徴とする請求項１２のフイルム画像入力方法。
　【請求項１５】　現像済みスチル写真フイルムの給送方向と直交する方向に光電変換素子が配列されたラインセンサを設け、
　予め前記フイルムを給送することにより前記ラインセンサを介して少なくとも１コマの画像データを取り込み、
　前記取り込んだコマの画像データに基づいて該コマの輝度の高い方向を上とする天地方向を判定し、
　前記判定結果に基づいて天地方向を修正した画像データをモニタに出力することを特徴とするフイルム画像入力方法。
　【請求項１６】　前記フイルムには磁気記録層が形成され、前記判定結果である天地方向を示すデータを各コマに対応した磁気記録層にそれぞれ記録しておき、前記磁気記録層に天地方向を示すデータが記録されている場合には、そのデータを読み取って使用するようにしたことを特徴とする請求項１５のフイルム画像入力方法。
　【請求項１７】　磁気データが記録される磁気記録層と被写体光によって露光される領域以外に光学データが露光される光学データ記録領域とを有するスチル写真フイルムに適用され、前記フイルムが現像されたのちに該フイルムのコマ毎の画像データと、該コマに対応する前記磁気データ及び光学データとを読み取り、前記画像データを前記磁気データ及び光学データに基づいて処理するフイルム画像入力方法であって、
　前記フイルムの同一コマに対して記録された前記磁気データと光学データとを比較し、
　画像の縦横比に対応するハイビジョン、パノラマ及び通常のいずれかを示すプリントフォーマットの処理に対して前記磁気データと光学データとで異なるプリントフォーマットが記録されている場合には、前記磁気データのプリントフォーマットに基づいて前記画像データを処理するようにしたことを特徴とするフイルム画像入力方法。
　【請求項１８】　長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する少なくとも１コマ分の画像データを記憶する画像メモリと、
　前記画像メモリに記憶された画像データに基づいて画像信号をモニタに出力する手段と、
　前記ラインセンサ、フイルム給送手段及び画像メモリを制御する制御手段と、
を備え、
　前記制御手段は、前記ラインセンサを介して粗い画像データを前記画像メモリに記憶させる時には第１の速度で前記フイルムを全コマにわたって連続給送し、前記ラインセンサを介して細密画像データを前記画像メモリに記憶させる時には前記第１の速度よりも低速の第２の速度で前記フイルムを給送するように前記フイルム給送手段によるフイルム給送速度を制御することを特徴とするフイルム画像入力装置。
　【請求項１９】　前記制御手段は、前記第１の速度によるフイルム給送時には前記フイルムを連続給送し、前記フイルムの全コマの粗い画像データを前記画像メモリに記憶させ、前記第２の速度によるフイルム給送時には１コマ分の細密画像データを前記画像メモリに記憶させることを特徴とする請求項１８のフイルム画像入力装置。
　【請求項２０】　前記制御手段は記憶手段を含み、前記全コマの粗い画像データに基づいてコマ毎の撮影条件を検知するとともに、その検知したコマ毎の撮影条件を前記記憶手段に記憶することを特徴とする請求項１９のフイルム画像入力装置。
　【請求項２１】　前記制御手段は、前記第２の速度による１コマの画像データの取り込みに際し、前記記憶手段に記憶したコマ毎の撮影条件に応じて露光制御手段及び白バランス調整手段の少なくとも一方を調整することを特徴とする請求項２０のフイルム画像入力装置。
　【請求項２２】　前記制御手段は、前記画像メモリに記憶された全コマの粗い画像データに基づいて全コマのインデックス画像を示す画像信号をモニタに出力させることを特徴とする請求項１９のフイルム画像入力装置。
　【請求項２３】　磁気記録層が形成された長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する少なくとも１コマ分の画像データを記憶する画像メモリと、
　前記画像メモリに記憶された画像データに基づいて画像信号をモニタに出力する手段と、
　前記フイルムの磁気記録層に磁気データを書き込み又は該磁気記録層に書き込まれた磁気データを読み取る磁気記録再生手段と、
　前記ラインセンサ、フイルム給送手段、画像メモリ及び磁気記録再生手段を制御する制御手段と、を備え、
　前記制御手段は、前記磁気記録再生手段を介して前記フイルムに磁気データを書き込み又は前記フイルムから磁気データを読み取る時には第１の速度で前記フイルムを給送し、前記ラインセンサを介して読み取った画像データを前記画像メモリに記憶させる時には前記第１の速度よりも低速の第２の速度で前記フイルムを給送するように前記フイルム給送手段によるフイルム給送速度を制御することを特徴とするフイルム画像入力装置。
　【請求項２４】　前記制御手段は、前記第１の速度によるフイルム給送時には全フイルムを連続給送し、前記第２の速度によるフイルム給送時には１コマ分だけフイルム給送するように前記フイルム給送手段を制御することを特徴とする請求項２３のフイルム画像入力装置。
　【請求項２５】　長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する画像データを記憶する画像メモリと、
　前記フイルムの各コマの表示方法を含む設定を行うキー操作部と、
　前記キー操作部からの信号を入力するとともに前記ラインセンサ、フイルム給送手段及び画像メモリを制御する制御手段と、を備え、
　前記制御手段は、インデックス画像作成時に前記フイルムを連続給送して前記ラインセンサを介して全コマの画像データを前記画像メモリに記憶させ、該画像メモリに記憶された全コマの画像データを処理してインデックス画像を示す画像信号をモニタに出力させ、前記キー操作部は前記モニタに表示されたインデックス画像を見ながら操作され、
　前記フイルムの連続給送中に該フイルムの各コマのコマ番号を取り込むコマ番号検出手段を有し、前記制御手段は、前記取り込んだ各コマのコマ番号に基づいて前記複数コマのインデックス画像にコマ番号をスーパーインポーズさせ、
　前記コマ番号検出手段は、前記フイルムのコマに対応して穿設されているパーフォレーションを検出するパーフォレーション検出手段と、該パーフォレーション検出手段によって検出されたパーフォレーションをカウントするカウンタとからなることを特徴とするフイルム画像入力装置。
　【請求項２６】　長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する画像データを記憶する画像メモリと、
　前記フイルムの各コマの表示方法を含む設定を行うキー操作部と、
　前記キー操作部からの信号を入力するとともに前記ラインセンサ、フイルム給送手段及び画像メモリを制御する制御手段と、を備え、
　前記制御手段は、インデックス画像作成時に前記フイルムを連続給送して前記ラインセンサを介して全コマの画像データを前記画像メモリに記憶させ、該画像メモリに記憶された全コマの画像データを処理してインデックス画像を示す画像信号をモニタに出力させ、前記キー操作部は前記モニタに表示されたインデックス画像を見ながら操作され、
　前記フイルムの連続給送中に該フイルムの各コマのコマ番号を取り込むコマ番号検出手段を有し、前記制御手段は、前記取り込んだ各コマのコマ番号に基づいて前記複数コマのインデックス画像にコマ番号をスーパーインポーズさせ、
　前記フイルムにはカメラでの撮影時のフイルム巻取方向を示すノーマルワインド／プリワインドを示すデータが光学的又は磁気的に記録され、前記制御手段は前記データに基づいて各コマの撮影順番とコマ番号の順番とを一致させて表示させることを特徴とするフイルム画像入力装置。
　【請求項２７】　長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する画像データを記憶する画像メモリと、
　前記フイルムの各コマの表示方法を含む設定を行うキー操作部と、
　前記キー操作部からの信号を入力するとともに前記ラインセンサ、フイルム給送手段及び画像メモリを制御する制御手段と、を備え、
　前記制御手段は、インデックス画像作成時に前記フイルムを連続給送して前記ラインセンサを介して全コマの画像データを前記画像メモリに記憶させ、該画像メモリに記憶された全コマの画像データを処理してインデックス画像を示す画像信号をモニタに出力させ、前記キー操作部は前記モニタに表示されたインデックス画像を見ながら操作され、
　前記制御手段は、前記取り込んだコマ毎の画像データに基づいて輝度の高い方向を上とする天地方向の判定を各コマ毎に行う天地方向判定手段を含み、該天地方向判定手段からのデータに基づいてモニタに出力する画像信号の天地方向を修正するようにしたことを特徴とするフイルム画像入力装置。
　【請求項２８】　磁気データが記録される磁気記録層と被写体光によって露光される領域以外に光学データが露光される光学データ記録領域とを有する長尺のスチル写真フイルムに適用され、前記フイルムが現像されたのちの該フイルム画像を撮影レンズを介してイメージセンサに結像させ、該イメージセンサによって光電変換された画像信号をモニタに出力することによってフイルム画像をモニタに表示させるフイルム画像入力装置であって、
　前記フイルムの給送を行うフイルム給送手段と、
　前記フイルム給送手段によるフイルム給送時に前記フイルムの磁気記録層に磁気データを書き込み及び該磁気記録層に書き込まれた磁気データを読み取る磁気記録再生手段と、
　前記フイルムの光学データ記録領域に記録された光学データを読み取る光学データ読取手段と、
　前記磁気記録再生手段及び光学データ読取手段によってそれぞれ読み取られた前記磁気データ及び光学データを入力し、前記フイルムの同一コマに対して記録されたデータ同士を比較する比較手段と、
　前記比較手段による比較結果に基づいて画像の縦横比に対応するハイビジョン、パノラマ及び通常のいずれかを示すプリントフォーマットの処理に対して前記磁気データと光学データとで異なるプリントフォーマットが記録されていることが検出されると、前記磁気データのプリントフォーマットに基づいて処理する処理手段と、
　を備えたことを特徴とするフイルム画像入力装置。
　【請求項２９】　前記フイルムは単一のスプールを有するフイルムカートリッジに収納されるものである請求項１又は７のフイルム画像入力方法。
　【請求項３０】　前記フイルムは、前記フイルムカートリッジのスプールを正転及び逆転させるフイルム給送部と、前記フイルムが巻き付けられる巻取軸を駆動するフイルム巻取部との間で双方向に給送される請求項２９のフイルム画像入力方法。
　【請求項３１】　前記コマ毎の撮影条件を検知するための粗い画像データ及び前記磁気データの取み込みを、前記フイルムカートリッジから前記フイルム巻取部への前記フイルムの給送中に行い、
　前記インデックス画像を作成するための全コマの粗い画像データの取り込みを、前記フイルム巻取部から前記フイルムカートリッジへの前記フイルムの巻戻し中に行うことを特徴とする請求項３０のフイルム画像入力方法。
　【請求項３２】　長尺の現像済みスチル写真フイルムの給送方向と直交する方向に光電変換素子が配列されたラインセンサを設け、
　前記フイルムを第１の速度で連続給送することにより前記ラインセンサを介して全コマの粗い画像データをそれぞれ取り込み、
　前記取り込んだ粗い画像データに基づいてコマ毎の撮影条件を検知し、
　その後、１コマの再生時には前記フイルムを前記第１の速度よりも低速の第２の速度で給送することにより、前記ラインセンサを介して所望のコマの細密画像データを前記検知した当該コマの撮影条件に応じて調整して取り込み、
　前記取り込んだ細密画像データに基づいて画像信号をモニタに出力し、
　前記撮影条件の検知後、前記第２の速度よりも速い速度で再度前記フイルムを連続給送することにより、前記ラインセンサを介して前記検知したコマ毎の撮影条件に応じてそれぞれ調整された全コマの粗い画像データを取り込み、この粗い画像データに基づいてｎ×ｍコマのインデックス画像を作成し、該インデックス画像をモニタに表示し、
　前記フイルムは磁気データが記録される磁気記録層を有し、前記フイルムが第１の速度で連続給送中に前記磁気記録層から全コマ分の磁気データを読み取り、
その読み取った磁気データに基づいてフイルム画像を再生し、
　前記インデックス画像を作成するための全コマの粗い画像データの取り込み時のフイルム給送速度は、前記コマ毎の撮影条件を検知するための粗い画像データ及び前記磁気データの取み込み時の前記第１の速度よりも遅いことを特徴とするフイルム画像入力方法。
　【請求項３３】　前記インデックス画像を作成するための全コマの粗い画像データに基づいて再度コマ毎の撮影条件を検知することを特徴とする請求項５のフイルム画像入力方法。
　【請求項３４】　前記処理された画像データに基づいてフイルム画像をモニタに表示させることを特徴とする請求項１７のフイルム画像入力方法。
　【請求項３５】　磁気データが記録される磁気記録層と被写体光によって露光される領域以外に光学データが露光される光学データ記録領域とを有する現像済みのスチル写真フイルムのコマの画像データを読み取る画像読取手段と、
　前記フイルムから前記磁気データを読み取る磁気データ読取手段と、
　前記フイルムから前記光学データを読み取る光学データ読取手段と、
　前記磁気データ読取手段及び光学データ読取手段により読み取られた前記フイルムの同一コマに対する磁気データと光学データとを比較し、両データの画像の縦横比に対応するハイビジョン、パノラマ及び通常のいずれかを示すプリントフォーマットの一致不一致を検出する検出手段と、
　前記検出手段によって前記両データのプリントフォーマットの不一致が検出されると、前記磁気データのプリントフォーマットに基づいて前記画像読取手段によって読み取った画像データを処理する処理手段と、
　を備えたことを特徴とするフイルム画像入力装置。
　【請求項３６】　前記画像読取手段はラインセンサである請求項３５のフイルム画像入力装置。
　【請求項３７】　長尺の現像済みスチル写真フイルムの給送方向と直交する方向に光電変換素子が配列されたラインセンサを設け、該ラインセンサによって前記フイルムの各コマの画像データを読み取るフイルム画像入力方法において、
　第１のプリスキャン時に、第１の速度で前記フイルムを連続給送し、その連続給送中に前記フイルムの全コマの第１の画像データを読み取り、その第１の画像データに基づいてコマ毎の第１の撮影条件を検知し、
　第２のプリスキャン時に、第２の速度で前記フイルムを連続給送し、その給送中に前記フイルムの全コマの第２の画像データを前記検知した当該コマの第１の撮影条件に応じて調整して読み取り、その第２の画像データに基づいてコマ毎の第２の撮影条件を検知し、
　本スキャン時に、前記第１、第２の速度よりも低速の第３の速度で前記フイルムを給送し、その給送中に前記フイルムの任意のコマの画像データを前記検知した当該コマの第２の撮影条件に応じて調整して読み取ることを特徴とするフイルム画像入力方法。
　【請求項３８】　前記第１のプリスキャン時のフイルム給送方向と、第２のプリスキャン時のフイルム給送方向は互いに逆方向である請求項３７のフイルム画像入力方法。
　【請求項３９】　前記フイルムは単一のスプールを有するフイルムカートリッジに収納され、該フイルムカートリッジを収納するフイルム供給部と、前記フイルムを巻き取る巻取軸を有するフイルム巻取部との間で給送され、
　前記第１のプリスキャンは、前記フイルム巻取部の巻取軸でのフイルム巻取中に行われ、前記第２のプリスキャンは、前記フイルム供給部のフイルムカートリッジ内への巻戻し中に行われることを特徴とする請求項３８のフイルム画像入力方法。
　【請求項４０】　前記第２の速度は第１の速度よりも遅い請求項３７のフイルム画像入力方法。
　【請求項４１】　前記フイルムは磁気記録層を有し、前記磁気記録層からの磁気データの読取りは、前記第１のプリスキャン時に行い、前記磁気記録層への磁気データの書込みは、前記巻取軸に巻き取られたフイルムを前記第１の速度でカートリッジ本体内に巻き戻しながら行うことを特徴とする請求項３９のフイルム画像入力方法。
　【請求項４２】　前記第２のプリスキャン時に読み取った前記第２の画像データに基づいて全コマを表示するためのインデックス画像データを作成することを特徴とする請求項３７のフイルム画像入力方法。
　【請求項４３】　現像済みスチル写真フイルムのコマの画像データを取り込むステップと、
　前記コマ内における複数の領域の明るさを検出するステップと、
　前記検出したコマ内の複数の領域の明るさに基づいて該コマの輝度の高い方向を上とする天地方向を判定するステップと、
　を有するフイルム画像入力方法。
　【請求項４４】　前記取り込んだ画像データ及び前記判定された天地方向に基づいて表示画像が正立するように天地方向を修正した画像データをモニタに出力することを特徴とする請求項４３のフイルム画像入力方法。
　
４．特許異議の申立ての検討
（１）請求項１７、２８、３４、３５、３６に係る発明
　（ａ）請求項１７、２８、３４、３５、３６に係る発明は、いずれも、同一コマに対して記録された磁気データと光学データとを比較すること、磁気データと光学データとで異なるプリントフォーマット（画像の縦横比に対応するプリントフォーマット）が記録されている場合に、磁気データのプリントフォーマットに基づいて画像データを処理すること、以上を主要構成とするものである。
　（ｂ）しかし、上記主要構成は、甲第１号証から甲第７号証までのいずれにも記載されておらず、また、甲第１号証から甲第７号証までに記載された事項に基づいて導かれるものでもない。
　甲第６号証および甲第７号証についてさらに見ると、これらの刊行物には、上記主要構成にいう「磁気データ」と「光学データ」の双方について記載されている。しかし、甲第６号証は、両者のうちいずれか一方を使用するものであり、両者を「比較する」ことにつきその前提を欠いている。甲第７号証は、両者を併用するものの、記録されるデータが「画像の縦横比に対応するプリントフォーマット」である旨の記載はなく、また、両者を「比較する」旨の記載もない。「磁気データと光学データとで異なるプリントフォーマットが記録されている場合に、磁気データのプリントフォーマットに基づいて画像データを処理する」ことにつきその動機づけを欠いている。
　（ｃ）請求項１７、２８、３４、３５、３６に係る発明は、甲第１号証から甲第７号証までに記載された発明であるとすることはできない。また、甲第１号証から甲第７号証までに記載された発明に基づいて当業者が容易に発明をすることができたものであるとすることもできない。
　
（２）請求項１、２、４、７、８、１８、１９、２０、２２、２３、２４、２９、３０に係る発明
　先の決定および判決の趣旨に従う。
　
５．むすび 
　以上のとおりであるから、本件特許の請求項１、２、４、７、８、１８、１９、２０、２２、２３、２４、２９、３０に係る発明は、特許法第２９条第２項の規定により特許を受けることができない。これらの請求項に係る特許は、拒絶の査定をしなければならない特許出願に対してされたものである。
　本件特許の請求項１７、２８、３４、３５、３６に係る特許については、特許異議の申立ての理由及び証拠によっては、取り消すことはできない。また、他に、取り消すべき理由を発見しない。
　よって、結論のとおり決定をする。
【異議決定日】
平成１８年６月１５日（２００６．６．１５）
【訂正の要旨】
審決（決定）の【理由】欄参照。
（５４）【発明の名称】
フイルム画像入力方法及び装置
（５７）【特許請求の範囲】
　【請求項１】長尺の現像済みスチル写真フイルムの給送方向と直交する方向に光電変換素子が配列されたラインセンサを設け、
　前記フイルムを
全コマにわたって
　前記取り込んだ粗い画像データに基づいてコマ毎の撮影条件を検知し、
　その後、１コマの再生時には前記フイルムを前記第１の速度よりも低速の第２の速度で給送することにより、前記ラインセンサを介して所望のコマの細密画像データを前記検知した当該コマの撮影条件に応じて調整して取り込み、
　前記取り込んだ細密画像データに基づいて画像信号をモニタに出力することを特徴とするフイルム画像入力方法。
　【請求項２】前記撮影条件は前記フイルムに写し込まれたコマの明るさであり、前記所望のコマの細密画像データの取り込みに際し、当該コマの明るさに応じて前記ラインセンサに対する露光を制御することを特徴とする請求項１のフイルム画像入力方法。
　【請求項３】前記撮影条件は前記フイルムに写し込まれたコマの白バランス状態であり、前記所望のコマの細密画像データの取り込みに際し、当該コマの白バランス状態に応じて白バランスを調整することを特徴とする請求項１又は２のフイルム画像入力方法。
　【請求項４】前記全コマの粗い画像データに基づいてｎ×ｍコマのインデックス画像を作成し、該インデックス画像をモニタに表示するようにしたことを特徴とする請求項１のフイルム画像入力方法。
　【請求項５】前記撮影条件の検知後、前記第２の速度よりも速い速度で再度前記フイルムを連続給送することにより、前記ラインセンサを介して前記検知したコマ毎の撮影条件に応じてそれぞれ調整された全コマの粗い画像データを取り込み、この粗い画像データに基づいてｎ×ｍコマのインデックス画像を作成し、該インデックス画像をモニタに表示するようにしたことを特徴とする請求項１のフイルム画像入力方法。
　【請求項６】前記各コマのコマ数が前記ｎ×ｍコマよりも多い場合には、前記ｎ×ｍコマのインデックス画像を上下又は左右にスクロールさせて全コマを表示するようにしたことを特徴とする請求項４又は５のフイルム画像入力方法。
　【請求項７】前記フイルムは磁気データが記録される磁気記録層を有し、前記フイルムが第１の速度で連続給送中に前記磁気記録層から全コマ分の磁気データを読み取り、その読み取った磁気データに基づいてフイルム画像を再生することを特徴とする請求項１又は５のフイルム画像入力方法。
　【請求項８】前記磁気データは、コマ番号、画像の縦横比に対応するフォーマット、プリント枚数、カメラでの撮影条件、タイトル及び撮影日／時刻などのうちの少なくとも１つを示すデータである請求項７のフイルム画像入力方法。
　【請求項９】前記フイルムは磁気データが記録される磁気記録層を有し、この磁気記録層から読み取った磁気データに基づいて撮影日時が略同一であるコマが複数あることが検知されると、これらのコマの撮影条件を一致させるようにしたことを特徴とする請求項１又は７のフイルム画像入力方法。
　【請求項１０】長尺の現像済みスチル写真フイルムの給送方向と直交する方向に光電変換素子が配列されたラインセンサを設け、
　予め前記フイルムを連続給送することにより前記ラインセンサを介して全コマの画像データをそれぞれ取り込み、
　前記取り込んだ全コマの画像データに基づいて複数コマのインデックス画像を示す画像信号をモニタに出力することによりインデックス画像をモニタに表示し、前記モニタに表示されたインデックス画像を見ながら各コマの表示方法を含む設定を行うとともに、その設定を示す設定データを記憶し、
　その後、所望のコマの画像データに基づく１コマの再生時に当該コマの設定データに対応して処理した画像信号をモニタに出力し、
　前記複数コマのインデックス画像はｎ×ｍコマのインデックス画像であり、全コマのコマ数が前記ｎ×ｍコマよりも多い場合には、前記ｎ×ｍコマのインデックス画像を上下又は左右にスクロールさせて全コマを表示するようにしたことを特徴とするフイルム画像入力方法。
　【請求項１１】長尺の現像済みスチル写真フイルムの給送方向と直交する方向に光電変換素子が配列されたラインセンサを設け、
　前記フイルムを連続給送することにより該フイルム上から全コマのコマ番号を取り込むとともに、前記ラインセンサを介して全コマの画像データをそれぞれ取り込み、
　前記取り込んだ各コマのコマ番号及び各コマの画像データに基づいてコマ番号がスーパーインポーズされた複数コマのインデックス画像を示す画像信号を生成し、
　前記画像信号をモニタに出力することによってコマ番号がスーパーインポーズされた複数コマのインデックス画像をモニタに表示し、
　前記コマ番号の取り込みは、前記フイルムのコマに対応して穿設されているパーフォレーションをカウントすることにより行うことを特徴とするフイルム画像入力方法。
　【請求項１２】長尺の現像済みスチル写真フイルムの給送方向と直交する方向に光電変換素子が配列されたラインセンサを設け、
　前記フイルムを連続給送することにより該フイルム上から全コマのコマ番号を取り込むとともに、前記ラインセンサを介して全コマの画像データをそれぞれ取り込み、
　前記取り込んだ各コマのコマ番号及び各コマの画像データに基づいてコマ番号がスーパーインポーズされた複数コマのインデックス画像を示す画像信号を生成し、
　前記画像信号をモニタに出力することによってコマ番号がスーパーインポーズされた複数コマのインデックス画像をモニタに表示し、
　前記フイルムは単一のスプールを有するフイルムカートリッジに収納され、前記フイルムにはカメラでの撮影時のフイルム巻取方向を示すノーマルワインド／プリワインドを示すデータが光学的又は磁気的に記録され、前記データに基づいて各コマの撮影順番とコマ番号の順番とを一致させて表示させるようにしたことを特徴とするフイルム画像入力方法。
　【請求項１３】前記フイルムに前記プリワインドを示すデータが記録されている場合には、前記連続給送時に１，２，…，Ｎ−１，Ｎの順番に順次取り込んだ画像データに対しＮ，Ｎ−１，…，２，１のコマ番号を付与するようにしたことを特徴とする請求項１２のフイルム画像入力方法。
　【請求項１４】前記フイルムに前記プリワインドを示すデータが記録されている場合には、前記フイルムの給送方向を逆方向にするようにしたことを特徴とする請求項１２のフイルム画像入力方法。
　【請求項１５】現像済みスチル写真フイルムの給送方向と直交する方向に光電変換素子が配列されたラインセンサを設け、
　予め前記フイルムを給送することにより前記ラインセンサを介して少なくとも１コマの画像データを取り込み、
　前記取り込んだコマの画像データに基づいて該コマの輝度の高い方向を上とする天地方向を判定し、
　前記判定結果に基づいて天地方向を修正した画像データをモニタに出力することを特徴とするフイルム画像入力方法。
　【請求項１６】前記フイルムには磁気記録層が形成され、前記判定結果である天地方向を示すデータを各コマに対応した磁気記録層にそれぞれ記録しておき、前記磁気記録層に天地方向を示すデータが記録されている場合には、そのデータを読み取って使用するようにしたことを特徴とする請求項１５のフイルム画像入力方法。
　【請求項１７】磁気データが記録される磁気記録層と被写体光によって露光される領域以外に光学データが露光される光学データ記録領域とを有するスチル写真フイルムに適用され、前記フイルムが現像されたのちに該フイルムのコマ毎の画像データと、該コマに対応する前記磁気データ及び光学データとを読み取り、前記画像データを前記磁気データ及び光学データに基づいて処理するフイルム画像入力方法であって、
　前記フイルムの同一コマに対して記録された前記磁気データと光学データとを比較し、
　同一種類の処理に対して異なる内容を示すデータが記録されている場合には、前記磁気データの内容に基づいて前記画像データを処理するようにしたことを特徴とするフイルム画像入力方法。
　【請求項１８】長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する少なくとも１コマ分の画像データを記憶する画像メモリと、
　前記画像メモリに記憶された画像データに基づいて画像信号をモニタに出力する手段と、
　前記ラインセンサ、フイルム給送手段及び画像メモリを制御する制御手段と、を備え、
　前記制御手段は、前記ラインセンサを介して粗い画像データを前記画像メモリに記憶させる時には第１の速度で前記フイルムを
全コマにわたって連続
　【請求項１９】前記制御手段は、前記第１の速度によるフイルム給送時には前記フイルムを連続給送し、前記フイルムの全コマの粗い画像データを前記画像メモリに記憶させ、前記第２の速度によるフイルム給送時には１コマ分の細密画像データを前記画像メモリに記憶させることを特徴とする請求項１８のフイルム画像入力装置。
　【請求項２０】前記制御手段は記憶手段を含み、前記全コマの粗い画像データに基づいてコマ毎の撮影条件を検知するとともに、その検知したコマ毎の撮影条件を前記記憶手段に記憶することを特徴とする請求項１９のフイルム画像入力装置。
　【請求項２１】前記制御手段は、前記第２の速度による１コマの画像データの取り込みに際し、前記記憶手段に記憶したコマ毎の撮影条件に応じて露光制御手段及び白バランス調整手段の少なくとも一方を調整することを特徴とする請求項２０のフイルム画像入力装置。
　【請求項２２】前記制御手段は、前記画像メモリに記憶された全コマの粗い画像データに基づいて全コマのインデックス画像を示す画像信号をモニタに出力させることを特徴とする請求項１９のフイルム画像入力装置。
　【請求項２３】磁気記録層が形成された長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する少なくとも１コマ分の画像データを記憶する画像メモリと、
　前記画像メモリに記憶された画像データに基づいて画像信号をモニタに出力する手段と、
　前記フイルムの磁気記録層に磁気データを書き込み又は該磁気記録層に書き込まれた磁気データを読み取る磁気記録再生手段と、
　前記ラインセンサ、フイルム給送手段、画像メモリ及び磁気記録再生手段を制御する制御手段と、を備え、
　前記制御手段は、前記磁気記録再生手段を介して前記フイルムに磁気データを書き込み又は前記フイルムから磁気データを読み取る時には第１の速度で前記フイルムを給送し、前記ラインセンサを介して読み取った画像データを前記画像メモリに記憶させる時には前記第１の速度よりも低速の第２の速度で前記フイルムを給送するように前記フイルム給送手段によるフイルム給送速度を制御することを特徴とするフイルム画像入力装置。
　【請求項２４】前記制御手段は、前記第１の速度によるフイルム給送時には全フイルムを連続給送し、前記第２の速度によるフイルム給送時には１コマ分だけフイルム給送するように前記フイルム給送手段を制御することを特徴とする請求項２３のフイルム画像入力装置。
　【請求項２５】長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する画像データを記憶する画像メモリと、
　前記フイルムの各コマの表示方法を含む設定を行うキー操作部と、
　前記キー操作部からの信号を入力するとともに前記ラインセンサ、フイルム給送手段及び画像メモリを制御する制御手段と、を備え、
　前記制御手段は、インデックス画像作成時に前記フイルムを連続給送して前記ラインセンサを介して全コマの画像データを前記画像メモリに記憶させ、該画像メモリに記憶された全コマの画像データを処理してインデックス画像を示す画像信号をモニタに出力させ、前記キー操作部は前記モニタに表示されたインデックス画像を見ながら操作され、
　前記フイルムの連続給送中に該フイルムの各コマのコマ番号を取り込むコマ番号検出手段を有し、前記制御手段は、前記取り込んだ各コマのコマ番号に基づいて前記複数コマのインデックス画像にコマ番号をスーパーインポーズさせ、
　前記コマ番号検出手段は、前記フイルムのコマに対応して穿設されているパーフォレーションを検出するパーフォレーション検出手段と、該パーフォレーション検出手段によって検出されたパーフォレーションをカウントするカウンタとからなることを特徴とするフイルム画像入力装置。
　【請求項２６】長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する画像データを記憶する画像メモリと、
　前記フイルムの各コマの表示方法を含む設定を行うキー操作部と、
　前記キー操作部からの信号を入力するとともに前記ラインセンサ、フイルム給送手段及び画像メモリを制御する制御手段と、を備え、
　前記制御手段は、インデックス画像作成時に前記フイルムを連続給送して前記ラインセンサを介して全コマの画像データを前記画像メモリに記憶させ、該画像メモリに記憶された全コマの画像データを処理してインデックス画像を示す画像信号をモニタに出力させ、前記キー操作部は前記モニタに表示されたインデックス画像を見ながら操作され、
　前記フイルムの連続給送中に該フイルムの各コマのコマ番号を取り込むコマ番号検出手段を有し、前記制御手段は、前記取り込んだ各コマのコマ番号に基づいて前記複数コマのインデックス画像にコマ番号をスーパーインポーズさせ、
　前記フイルムにはカメラでの撮影時のフイルム巻取方向を示すノーマルワインド／プリワインドを示すデータが光学的又は磁気的に記録され、前記制御手段は前記データに基づいて各コマの撮影順番とコマ番号の順番とを一致させて表示させることを特徴とするフイルム画像入力装置。
　【請求項２７】長尺の現像済みスチル写真フイルムの画像をモニタに表示させるフイルム画像入力装置であって、
　前記フイルムを照明する照明手段と、
　前記フイルムの給送方向と直交する方向に光電変換素子が配列されたラインセンサと、
　前記照明手段によって照明された前記フイルムの画像を前記ラインセンサに結像させる撮影レンズと、
　前記フイルムの給送を行うフイルム給送手段と、
　前記ラインセンサを介して入力する画像データを記憶する画像メモリと、
　前記フイルムの各コマの表示方法を含む設定を行うキー操作部と、
　前記キー操作部からの信号を入力するとともに前記ラインセンサ、フイルム給送手段及び画像メモリを制御する制御手段と、を備え、
　前記制御手段は、インデックス画像作成時に前記フイルムを連続給送して前記ラインセンサを介して全コマの画像データを前記画像メモリに記憶させ、該画像メモリに記憶された全コマの画像データを処理してインデックス画像を示す画像信号をモニタに出力させ、前記キー操作部は前記モニタに表示されたインデックス画像を見ながら操作され、
　前記制御手段は、前記取り込んだコマ毎の画像データに基づいて輝度の高い方向を上とする天地方向の判定を各コマ毎に行う天地方向判定手段を含み、該天地方向判定手段からのデータに基づいてモニタに出力する画像信号の天地方向を修正するようにしたことを特徴とするフイルム画像入力装置。
　【請求項２８】磁気データが記録される磁気記録層と被写体光によって露光される領域以外に光学データが露光される光学データ記録領域とを有する長尺のスチル写真フイルムに適用され、前記フイルムが現像されたのちの該フイルム画像を撮影レンズを介してイメージセンサに結像させ、該イメージセンサによって光電変換された画像信号をモニタに出力することによってフイルム画像をモニタに表示させるフイルム画像入力装置であって、
　前記フイルムの給送を行うフイルム給送手段と、
　前記フイルム給送手段によるフイルム給送時に前記フイルムの磁気記録層に磁気データを書き込み及び該磁気記録層に書き込まれた磁気データを読み取る磁気記録再生手段と、
　前記フイルムの光学データ記録領域に記録された光学データを読み取る光学データ読取手段と、
　前記磁気記録再生手段及び光学データ読取手段によってそれぞれ読み取られた前記磁気データ及び光学データを入力し、前記フイルムの同一コマに対して記録されたデータ同士を比較する比較手段と、
　前記比較手段による比較結果に基づいて同一種類の処理に対して異なる内容を示すデータが記録されていることが検出されると、前記磁気データの内容に基づいて処理する処理手段と、
　を備えたことを特徴とするフイルム画像入力装置。
　【請求項２９】前記フイルムは単一のスプールを有するフイルムカートリッジに収納されるものである請求項１又は７のフイルム画像入力方法。
　【請求項３０】前記フイルムは、前記フイルムカートリッジのスプールを正転及び逆転させるフイルム給送部と、前記フイルムが巻き付けられる巻取軸を駆動するフイルム巻取部との間で双方向に給送される請求項２９のフイルム画像入力方法。
　【請求項３１】前記コマ毎の撮影条件を検知するための粗い画像データ及び前記磁気データの取み込みを、前記フイルムカートリッジから前記フイルム巻取部への前記フイルムの給送中に行い、
　前記インデックス画像を作成するための全コマの粗い画像データの取り込みを、前記フイルム巻取部から前記フイルムカートリッジへの前記フイルムの巻戻し中に行うことを特徴とする請求項３０のフイルム画像入力方法。
　【請求項３２】長尺の現像済みスチル写真フイルムの給送方向と直交する方向に光電変換素子が配列されたラインセンサを設け、
　前記フイルムを第１の速度で連続給送することにより前記ラインセンサを介して全コマの粗い画像データをそれぞれ取り込み、
　前記取り込んだ粗い画像データに基づいてコマ毎の撮影条件を検知し、
　その後、１コマの再生時には前記フイルムを前記第１の速度よりも低速の第２の速度で給送することにより、前記ラインセンサを介して所望のコマの細密画像データを前記検知した当該コマの撮影条件に応じて調整して取り込み、
　前記取り込んだ細密画像データに基づいて画像信号をモニタに出力し、
　前記撮影条件の検知後、前記第２の速度よりも速い速度で再度前記フイルムを連続給送することにより、前記ラインセンサを介して前記検知したコマ毎の撮影条件に応じてそれぞれ調整された全コマの粗い画像データを取り込み、この粗い画像データに基づいてｎ×ｍコマのインデックス画像を作成し、該インデックス画像をモニタに表示し、
　前記フイルムは磁気データが記録される磁気記録層を有し、前記フイルムが第１の速度で連続給送中に前記磁気記録層から全コマ分の磁気データを読み取り、その読み取った磁気データに基づいてフイルム画像を再生し、
　前記インデックス画像を作成するための全コマの粗い画像データの取り込み時のフイルム給送速度は、前記コマ毎の撮影条件を検知するための粗い画像データ及び前記磁気データの取み込み時の前記第１の速度よりも遅いことを特徴とするフイルム画像入力方法。
　【請求項３３】前記インデックス画像を作成するための全コマの粗い画像データに基づいて再度コマ毎の撮影条件を検知することを特徴とする請求項５のフイルム画像入力方法。
　【請求項３４】前記処理された画像データに基づいてフイルム画像をモニタに表示させることを特徴とする請求項１７のフイルム画像入力方法。
　【請求項３５】磁気データが記録される磁気記録層と被写体光によって露光される領域以外に光学データが露光される光学データ記録領域とを有する現像済みのスチル写真フイルムのコマの画像データを読み取る画像読取手段と、
　前記フイルムから前記磁気データを読み取る磁気データ読取手段と、
　前記フイルムから前記光学データを読み取る光学データ読取手段と、
　前記磁気データ読取手段及び光学データ読取手段により読み取られた前記フイルムの同一コマに対する磁気データと光学データとを比較し、両データの内容の一致不一致を検出する検出手段と、
　前記検出手段によって前記両データの内容の不一致が検出されると、前記磁気データの内容に基づいて前記画像読取手段によって読み取った画像データを処理する処理手段と、
　を備えたことを特徴とするフイルム画像入力装置。
　【請求項３６】前記画像読取手段はラインセンサである請求項３５のフイルム画像入力装置。
　【請求項３７】長尺の現像済みスチル写真フイルムの給送方向と直交する方向に光電変換素子が配列されたラインセンサを設け、該ラインセンサによって前記フイルムの各コマの画像データを読み取るフイルム画像入力方法において、
　第１のプリスキャン時に、第１の速度で前記フイルムを連続給送し、その連続給送中に前記フイルムの全コマの第１の画像データを読み取り、その第１の画像データに基づいてコマ毎の第１の撮影条件を検知し、
　第２のプリスキャン時に、第２の速度で前記フイルムを連続給送し、その給送中に前記フイルムの全コマの第２の画像データを前記検知した当該コマの第１の撮影条件に応じて調整して読み取り、その第２の画像データに基づいてコマ毎の第２の撮影条件を検知し、
　本スキャン時に、前記第１、第２の速度よりも低速の第３の速度で前記フイルムを給送し、その給送中に前記フイルムの任意のコマの画像データを前記検知した当該コマの第２の撮影条件に応じて調整して読み取ることを特徴とするフイルム画像入力方法。
　【請求項３８】前記第１のプリスキャン時のフイルム給送方向と、第２のプリスキャン時のフイルム給送方向は互いに逆方向である請求項３７のフイルム画像入力方法。
　【請求項３９】前記フイルムは単一のスプールを有するフイルムカートリッジに収納され、該フイルムカートリッジを収納するフイルム供給部と、前記フイルムを巻き取る巻取軸を有するフイルム巻取部との間で給送され、
　前記第１のプリスキャンは、前記フイルム巻取部の巻取軸でのフイルム巻取中に行われ、前記第２のプリスキャンは、前記フイルム供給部のフイルムカートリッジ内への巻戻し中に行われることを特徴とする請求項３８のフイルム画像入力方法。
　【請求項４０】前記第２の速度は第１の速度よりも遅い請求項３７のフイルム画像入力方法。
　【請求項４１】前記フイルムは磁気記録層を有し、前記磁気記録層からの磁気データの読取りは、前記第１のプリスキャン時に行い、前記磁気記録層への磁気データの書込みは、前記巻取軸に巻き取られたフイルムを前記第１の速度でカートリッジ本体内に巻き戻しながら行うことを特徴とする請求項３９のフイルム画像入力方法。
　【請求項４２】前記第２のプリスキャン時に読み取った前記第２の画像データに基づいて全コマを表示するためのインデックス画像データを作成することを特徴とする請求項３７のフイルム画像入力方法。
　【請求項４３】現像済みスチル写真フイルムのコマの画像データを取り込むステップと、
　前記コマ内における複数の領域の明るさを検出するステップと、
　前記検出したコマ内の複数の領域の明るさに基づいて該コマの輝度の高い方向を上とする天地方向を判定するステップと、
　を有するフイルム画像入力方法。
　【請求項４４】前記取り込んだ画像データ及び前記判定された天地方向に基づいて表示画像が正立するように天地方向を修正した画像データをモニタに出力することを特徴とする請求項４３のフイルム画像入力方法。
【発明の詳細な説明】
　【０００１】
　【産業上の利用分野】
　本発明はフイルム画像入力方法及び装置に係り、特に現像済みスチル写真フイルムの画像を撮影レンズを介してイメージセンサに結像させ、該イメージセンサによって光電変換された画像信号をモニタＴＶに出力することによってフイルム画像をモニタＴＶの画面に再生させるフイルム画像入力方法及び装置に関する。
　【０００２】
　【従来の技術】
　従来、現像済みスチル写真フイルムをＣＣＤ等のイメージセンサで撮像し、写真フイルムの画像を画像信号に変換し、これをモニタＴＶに出力してフイルム画像を表示するフイルム画像入力装置は、ＷＯ９０／０４３０１、特開平５−７５９２２号公報、特開平５−５６３４５号公報、特開平５−２２６５６号公報等において公知である。
　【０００３】
　ＷＯ９０／０４３０１には、磁気記録トラックを有する写真フイルムを使用したカメラ及びフイルム画像入力装置が開示されており、特開平５−７５９２２号公報には、現像済みスチル写真フイルムが単一のスプールに巻回されているフイルムカートリッジを使用したフイルム画像入力装置等が開示されている。
　また、特開平５−２２６５６号公報には、マルチ画面（以下、インデックス画像という）の作成が指示されると、現像済みスチル写真フイルムを１コマずつ巻き取り又は巻き戻し、イメージセンサを介して各コマの画像データを取り込み、各コマの画像データを圧縮して１画面分の画像メモリに記憶させ、この画像メモリに記憶された画像データに基づいてインデックス画像をモニタＴＶに表示するフイルム画像入力装置が開示されている。
　【０００４】
　また、上記従来のフイルム画像入力装置には、フイルムの１コマ内から必要な範囲の画像のみを取り出して拡大するため（トリミングのため）のズームレンズやスキャン機構、フイルム画像の縦横を切り替えるためのイメージセンサ回転機構等を備えているものもある。
　更に、従来のフイルム画像入力装置において、モニタＴＶに表示される表示画像に対する編集作業を行う場合（例えば、画像の天地方向の切替え（縦横変換）、画像の縦横比に対応するハイビジョン、パノラマ、通常等のフォーマット指定、フイルムの全コマを順次表示する際の表示／非表示コマの指定等を行う場合）には、１コマ分の画像をモニタＴＶに表示し、その画像を見ながら行うようにしていた。
　【０００５】
　【発明が解決しようとする課題】
　ところで、上記従来のフイルム画像入力装置は、いずれもイメージセンサとして２次元のイメージセンサを使用しているため、撮影条件によって異なる各コマの明るさや白バランス等をリアルタイムに補正した画像データを得ることができるという利点があるが、２次元のイメージセンサは１次元のイメージセンサ（ラインセンサ）に比べて高価であるという問題がある。
　【０００６】
　一方、ラインセンサを使用して連続給送される写真フイルムの１コマ分の画像データを取り込み、その画像データに基づいて静止画をモニタＴＶに表示させる場合には、２次元のイメージセンサのようにリアルタイムに画像データを得ることができないため、１コマ分の画像データを１度だけを取り込んでも各コマの明るさや白バランス等が補正された良好な画像データを得ることができないという問題がある。
　【０００７】
　また、上記従来のフイルム画像入力装置では、モニタＴＶに表示される表示画像に対する編集作業を行う場合には、１コマ分の画像をモニタＴＶに表示し、その画像を見ながら行うようにしているため、フイルムに写し込まれている全コマに対するストーリ編集を行う編集作業がやり
づ
　【０００８】
　一方、特開平５−２２６５６号公報には、前述したようにインデックス画像を作成し、これを表示する記載があるが、このインデックス画像はモニタＴＶに表示するための所望のコマを選択するために使用されるもので、編集作業に使用されるものではない。
　尚、上記インデックス画像を編集作業に使用することも可能であるが、従来のフイルム画像入力装置は、２次元のイメージセンサを使用しているため、上記インデックス画像を作成するためには、フイルムを１コマずつ巻き取り又は巻き戻し、フイルムが静止している状態でイメージセンサを介して各コマの画像データを取り込む必要があり、１本のフイルムの全コマの画像データを取り込むには多くの時間が必要となる。
　【０００９】
　本発明はこのような事情に鑑みてなされたもので、イメージセンサとしてラインセンサを使用することによりコストの低減を図るとともに、ラインセンサを使用した場合に生じる各コマの撮影条件に応じた画像データの補正も迅速に行うことができるフイルム画像入力方法及び装置を提供することを目的とする。
　また、本発明はインデックス画像を短時間で作成することができ、そのインデックス画像を見ながら一連の画像に対する編集作業を容易に行うことができるフイルム画像入力方法及び装置を提供することを目的とする。
　【００１０】
　【課題を解決するための手段】
　本発明は前記目的を達成するために、長尺の現像済みスチル写真フイルムの給送方向と直交する方向に光電変換素子が配列されたラインセンサを設け、前記フイルムを
全コマにわたって
　【００１１】
　また、前記フイルムが第１の速度で連続給送中に前記フイルムの磁気記録層から磁気データを読み取り、その読み取った磁気データに基づいてフイルム画像を再生することを特徴としている。
　更に、前記フイルムを連続給送することにより取り込んだ全コマの画像データに基づいて複数コマのインデックス画像を示す画像信号をモニタＴＶに出力することによりインデックス画像をモニタＴＶに表示し、前記モニタＴＶに表示されたインデックス画像を見ながら各コマの表示方法を含む設定を行うとともに、その設定を示す設定データを記憶し、その後、所望のコマの画像データに基づく１コマの再生時に当該コマの設定データに対応して処理した画像信号をモニタＴＶに出力することを特徴としている。
　【００１２】
　【作用】
　本発明によれば、高価な２次元イメージセンサの代わりにラインセンサを使用し、現像済み写真フイルムを一定速度で給送することにより前記ラインセンサを介して画像データを取り込むようにしている。ここで、所望の画像データの取込みに先立ち、先ず前記フイルムを第１の速度で連続給送することによりラインセンサを介して全コマの粗い画像データをそれぞれ取り込み、その取り込んだ粗い画像データに基づいてコマ毎の明るさ、白バランス等の撮影条件を検知する。
　【００１３】
　そして、１コマの再生時には前記フイルムを第１の速度よりも低速の第２の速度で給送し、ラインセンサを介して所望のコマの細密画像データを取り込むが、その取り込みに際し、前記検知した当該コマの撮影条件に応じて露出や白バランス等を調整して取り込むようにしている。
　また、磁気記録再生時には磁気ヘッドと記録媒体との間の相対速度が一定速度以上必要であるが、前記フイルムが高速の第１の速度で連続給送中に、前記フイルムの磁気記録層から磁気データを読み取り又は磁気記録層への磁気データの書き込みを行うようにしている。
　【００１４】
　更に、予めフイルムを連続給送することにより取り込んだ全コマの画像データに基づいて複数コマのインデックス画像を作成し、そのインデックス画像を示す画像信号をモニタＴＶに出力することによりインデックス画像をモニタＴＶに表示できるようにしている。そして、このモニタＴＶに表示されたインデックス画像を見ながら各コマの表示方法を含む設定を行うとともに、その設定を示す設定データを記憶し、これによりコマ毎の編集作業をまとめて行うようにしている。その後、所望のコマの画像データに基づく１コマの再生時には、上記のようにして編集した当該コマの設定データを読み出し、その設定データに対応して画像処理した画像信号をモニタＴＶに出力するようにしている。
　【００１５】
　【実施例】
　以下添付図面に従って本発明に係るフイルム画像入力方法及び装置の好ましい実施例を詳説する。
　図１は本発明に係るフイルム画像入力装置を含むシステム全体の概略構成を示す斜視図である。同図に示すように、本発明に係るフイルム画像入力装置１００は直方体状に形成され、その前面にはフイルムカートリッジトレー１０２及び電源スイッチ１０４が設けられている。フイルムカートリッジトレー１０２は、フイルムカートリッジ１１０のローディング／アンローディング時に前後方向に進退駆動され、これ
に
　【００１６】
　フイルム画像入力装置１００にはキーパッド１２０及びモニタＴＶ１０９が接続され、キーパッド１２０からは信号ケーブル１０６を介してフイルム画像入力装置１００を制御するための各種の操作信号がフイルム画像入力装置１００に出力され、フイルム画像入力装置１００からは信号ケーブル１０８を介して映像信号がモニタＴＶ１０９に出力される。尚、キーパッド１２０によるフイルム画像入力装置１００の制御の詳細については後述する。また、キーパッド１２０から信号ケーブル１０６を介して操作信号を送出するようにしているが、これに限らず、キーパッド１２０及びフイルム画像入力装置１００にそれぞれ赤外リモコン送信器及び受信器を設け、キーパッド１２０からの操作信号を赤外リモコン信号としてフイルム画像入力装置１００に送信するようにしてもよい。
　【００１７】
　フイルムカートリッジ１１０は、図２に示すように単一のスプール１１２を有し、このスプール１１２に写真フイルム１１４が巻回されている。写真フイルム１１４には、各コマの位置を示すパーフォレーション１１４Ａが穿設されるとともに、フイルム全面又はフイルム縁部に磁気記録層１１４Ｂが形成されており、この磁気記録層１１４Ｂには、磁気ヘッドを有するカメラによってコマ毎の撮影データ等を示す磁気データが記録できるようになっている。また、現像処理された上記写真フイルム１１４はフイルムカートリッジ１１０に巻き取られ、これにより保管できるようになっている。
　【００１８】
　このフイルムカートリッジ１１０を使用するカメラは、カメラ内蔵の磁気ヘッドによって前記フイルム１１４の磁気記録層１１４Ｂに各種の磁気データをコマ毎に記録することができる。記録される磁気データとしては、例えば、コマ番号、ハイビジョン画像、パノラマ画像及び通常画像のいずれかを示すプリントフォーマット、撮影日／時刻、カメラでの撮影時のフイルム巻取方向を示すノーマルワインド／プリワインドを示すデータ等が考えられるが、その他、カメラによって多数種類のデータを記録することができる。また、前記写真フイルム１１４には、被写体光によって露光されるコマ領域以外にフイルムタイプ、コマ番号等を示すバーコードや、撮影時にカメラ内蔵の光源によってプリントフォーマット等を示すデータを光学的に記録することができる。
　【００１９】
　図３は上記フイルム画像入力装置１００の内部構成の一実施例を示すブロック図である。このフイルム画像入力装置１００は、主として照明用の光源１３０、撮影レンズ１３６、ＣＣＤラインセンサ１４２を含むＣＣＤ回路ユニット１４０、第１信号処理回路１５１、第２信号処理回路１５２、第３信号処理回路１５３、メモリ制御回路１５４、ＣＣＤバッファＭ１、表示バッファＭ２、中央処理装置（ＣＰＵ）１６０、フイルム駆動メカ１７０、光学データ読取装置１８０、磁気記録再生装置１８２等を備えている。
　【００２０】
　光源１３０は、例えばフイルム１１４の給送方向と直交する方向に長い蛍光灯からなり、赤外カットフィルタ１３２を介してフイルム１１４を照明する。フイルム１１４を透過した画像光は、単焦点の撮影レンズ１３６を介してＣＣＤラインセンサ１４２の受光面に結像される。尚、ＣＣＤラインセンサ１４２によるフイルム画像の撮像中には、フイルム１１４はフイルム駆動メカ１７０によって一定速度で矢印Ａ方向（以下、順方向という）又は矢印Ｂ方向（以下、逆方向という）に移動させられるが、このフイルム駆動の詳細については後述する。
　【００２１】
　ＣＣＤラインセンサ１４２はフイルム給送方向と直交する方向に配設されている。そして、ＣＣＤラインセンサ１４２の受光面に結像された画像光は、Ｒ，Ｇ，Ｂフィルタを有する各センサで所定時間電荷蓄積され、光の強さに応じて量のＲ，Ｇ，Ｂの信号電荷に変換される。このようにして蓄積された信号電荷は、ＣＣＤ駆動回路１４４から加えられる所定周期のリードゲートパルスによってシフトレジスタに読み出され、レジスタ転送パルスによって順次読み出される。
　【００２２】
　尚、ＣＣＤラインセンサ１４２は、フイルム給送方向と直交する方向に例えば１０２４画素分のセンサを有している。また、１コマのフイルム給送方向と同方向の画素数は、ＣＣＤ駆動回路１４４のリードゲートパルス等の周期を変更しない場合にはフイルム給送速度に応じて変化し、本実施例では標準のフイルム画像を取り込む時の給送速度の１／２倍、１倍、８倍、１６倍の各速度における画素数は、１７９２画素、８９６画素、１１２画素、５６画素である。
　【００２３】
　このようにしてＣＣＤラインセンサ１４２から読み出された信号電荷は、ＣＤＳクランプによってクランプされてＲ，Ｇ，Ｂ信号としてアナログ処理回路１４６に加えられ、ここでＲ，Ｇ，Ｂ信号のゲイン等が制御される。アナログ処理回路１４６から出力されるＲ，Ｇ，Ｂ信号はマルチプレクサ１４８によって点順次化され、Ａ／Ｄコンバータ１５０によってデジタル信号に変換されたのち、第１信号処理回路１５１及びＣＰＵ１６０に加えられる。
　【００２４】
　第１信号処理回路１５１は、白バランス調整回路、ネガポジ変転回路、γ補正回路及びＲＧＢ同時化回路等を含み、順次入力する点順次のＲ，Ｇ，Ｂ信号を各回路で適宜信号処理したのち、同時化したＲ，Ｇ，Ｂ信号を第２信号処理回路１５２に出力する。尚、第１信号処理回路１５１における白バランス調整回路は、ＣＰＵ１６０から加えられる制御信号に基づいて行うもので、その詳細は後述する。
　【００２５】
　第２信号処理回路１５２はマトリクス回路を有し、入力するＲ，Ｇ，Ｂ信号に基づいて輝度信号Ｙ及びクロマ信号Ｃｒ／ｂを生成し、これらをメモリ制御回路１５４に出力する。
　メモリ制御回路１５４は、上記輝度信号Ｙ及びクロマ信号Ｃｒ／ｂのＣＣＤバッファＭ１への書込み／読出しを制御するとともに、ＣＣＤバッファＭ１に記憶された輝度信号Ｙ及びクロマ信号Ｃｒ／ｂの表示バッファＭ２への書込み／読出しを制御する。尚、ＣＣＤバッファＭ１及び表示バッファＭ２への書込み／読出し制御の詳細については後述する。
　【００２６】
　メモリ制御回路１５４によって表示バッファＭ２から読み出される輝度信号Ｙ及びクロマ信号Ｃｒ／ｂは、第３信号処理回路１５３に加えられる。第３信号処理回路１５３は、入力する輝度信号Ｙ及びクロマ信号Ｃｒ／ｂに基づいて例えばＮＴＳＣ方式のカラー複合映像信号を生成し、これをＤ／Ａコンバータ１５６を介してビデオ出力端子１５８に出力する。尚、メモリ制御回路１５４、第３信号処理回路１５
３
　【００２７】
　フイルム駆動メカ１７０は、フイルムカートリッジ１１０のスプール１１２と係合し、そのスプール１１２を正転／逆転駆動するフイルム供給部と、このフイルム供給部から送出されるフイルム１１４を巻き取るフイルム巻取部と、フイルム搬送路に配設され、フイルム１１４をキャプスタンとピンチローラとで挟持してフイルム１１４を一定速度で送る手段とから構成されている。尚、上記フイルム供給部は、フイルムカートリッジ１１０のスプール１１２を図３上で時計回り方向に駆動し、フイルム先端がフイルム巻取部によって巻き取られるまでフイルムカートリッジ１１０からフイルム１１４を送り出すようにしている。
　【００２８】
　光学データ読取装置１８０は、フイルム１１４のパーフォレーション１１４Ａを光学的に検出する第１の光センサ１８０Ａと、フイルム縁部に書き込まれているバーコード等の光学データを光学的に検出する第２の光センサ１８０Ｂとを含み、これらの光センサ１８０Ａ、１８０Ｂを介して検出した光学データを処理してＣＰＵ１６０に出力する。
　【００２９】
　磁気記録再生装置１８２は磁気ヘッド１８２Ａを含み、磁気ヘッド１８２Ａを介してフイルム１１４の磁気記録層１１４Ｂに記録されている磁気データを読み取り、その磁気データを処理してＣＰＵ１６０に出力してＲＡＭ１６０Ａに記録し、また、ＣＰＵ１６０のＲＡＭ１６０Ａに記録されたデータを読み出し、これを磁気記録に適した信号に変換したのち磁気ヘッド１８２Ａに出力し、フイルム１１４の磁気記録層１１４Ｂに記録する。
　【００３０】
　次に、上記構成のフイルム画像入力装置１００の作用について、図４に示すフローチャートを参照しながら説明する。
　先ず、フイルムカートリッジ１１０をフイルムカートリッジトレー１０２にセットすると、ＣＰＵ１６０はフイルム駆動メカ１７０を制御してフイルムローディングを実行する（ステップ２００）。即ち、フイルムカートリッジ１１０からフイルム１１４を送り出し、フイルム先端をフイルム巻取部の巻取軸に巻き付ける。
　【００３１】
　フイルムローディングが完了すると、フイルム１１４の第１のプリスキャンを実行する。即ち、図５に示すようにフイルム１１４を１４８．０ｍｍ／秒の高速で順方向（図４参照）に給送し、続いて１４８．０ｍｍ／秒の高速で逆方向に巻き戻す。上記順方向の第１のプリスキャン時には、ＣＣＤラインセンサ１４２を介して画像データが取り込まれるとともに、光学データ読取装置１８０及び磁気記録再生装置１８２を介して光学データ及び磁気データが読み取られる。
　【００３２】
　次に、上記第１のプリスキャン時に取り込んだ画像データに基づく処理について説明する。
　ＣＰＵ１６０は、図３に示すＡ／Ｄコンバータ１５０から点順次のＲ，Ｇ，Ｂ信号を入力する。ＣＰＵ１６０は、全コマのＲ，Ｇ，Ｂ信号を各別に取り込み、色信号別のオフセット量、及び白バランスを調整するための色信号別のゲイン調整量を算出し、これらの色信号別のオフセット量を示すオフセットデータ及びゲイン調整量を示すＡＷＢデータをコマ毎にＣＰＵ内蔵のランダム・アクセス・メモリ（ＲＡＭ）１６０Ａに記憶する。また、各コマのＲ，Ｇ，Ｂ信号から各コマの明るさを示すＡＥデータをＲＡＭ１６０Ａに記憶する。尚、ＣＰＵ１６０は、光学データ読取装置１８０及び磁気記録再生装置１８２を介して加えられる光学データ及び／又は磁気データに基づいてフイルム１１４の各コマを検知することができ、また、各コマをカウントすることによりコマ番号も検知することができる。
　【００３３】
　次に、フイルム１１４の第２のプリスキャンを実行する。即ち、図５に示すようにフイルム１１４を７４・０ｍｍ／秒の高速で順方向に再び給送し、続いて１４８．０ｍｍ／秒の高速で逆方向に巻き戻す。上記順方向の第２のプリスキャン時には、再びＣＣＤラインセンサ１４２を介して画像データが取り込まれる。この画像データの取込み時には、ＣＰＵ１６０は、ＲＡＭ１６０Ａに記憶したＡＥデータに基づいて絞り制御装置１６４を介して各コマ毎に絞り１３４を制御する。尚、ＣＣＤラインセンサ１４２として、電子シャッタ機構を有するものを使用する場合には、ＣＣＤ駆動回路１４４を介してＣＣＤラインセンサ１４２における電荷蓄積時間を制御することにより、露光量を調整することができ、この場合には絞り１３４や絞り制御装置１６４は不要になる。
　【００３４】
　また、ＣＰＵ１６０は、第１信号処理回路１５１において、各コマ毎にＲ，Ｇ，Ｂ信号のオフセット量及び白バランスの調整を行わせる。即ち、ＣＰＵ１６０は、ＲＡＭ１６０Ａに記憶した各コマの色信号毎のオフセットデータを第１信号処理回路１５１に出力し、第１信号処理回路１５１はこのオフセットデータに基づいて点順次のＲ，Ｇ，Ｂ信号のオフセット量を調整する。同様に、ＣＰＵ１６０は、ＲＡＭ１６０Ａに記憶した各コマの色信号毎のＡＷＢデータを第１信号処理回路１５１に出力し、第１信号処理回路１５１はこのＡＷＢデータに基づいて点順次のＲ，Ｇ，Ｂ信号のゲインを調整する。
　【００３５】
　上記ＡＷデータ、ＡＷＢデータ等に基づいて各コマの画像データを調整しているため、各コマの撮影条件にかかわらず、良好な画像データを取り込むことができる。
　このようにして調整された各コマの画像データ、即ち、第２信号処理回路１５２から出力される輝度信号Ｙ及びクロマ信号Ｃｒ／ｂは、メモリ制御回路１５４を介してＣＣＤバッファＭ１に順次記憶される。尚、前述したように標準のフイルム画像を取り込む時の給送速度の８倍の速度でフイルム１１４が給送されるため、図７（Ａ）に示すように１コマのフイルム給送方向と同方向の画素数は、１１２画素である。また、ＣＣＤラインセンサ１４２は、前述したようにフイルム給送方向と直交する方向に１０２４画素分のセンサを有しているが、１／１６に間引くことにより１コマのフイルム給送方向と直交する方向の画素数は、６４画素である。そして、ＣＣＤバッファＭ１は、図７（Ａ）に示すように５１２×１０２４画素のデータを記憶する記憶容量を有しており、これにより５×４×２（＝４０）コマ分の画像データを記憶することができる。即ち、ＣＣＤバッファＭ１には、４０コマ分のインデックス画像を示す画像データが記憶されることになる。
　【００３６】
　表示バッファＭ２は、図７（Ｂ）に示すように５１２×１０２４画素のデータを記憶する記憶容量を有しているが、上記インデックス画像を示す画像データを記憶する場合には、１コマの画素が７３×１２８に拡大されて５×４（＝２０）コマ分の画像データを記憶する。そして、インデックス画像をモニタＴＶ１０９に表示させる場合には、表示バッファＭ２の左上の４８０×６４０画素分の領域が読み出される（図７（Ｂ）、（Ｃ）参照）。
　【００３７】
　さて、ＣＣＤバッファＭ１には、図７（Ａ）に示すように上記スキャン時における各コマの画像データの読取り順に、各コマの画像データが左上の記憶領域から右側に向かって順次記憶され、４コマ分記憶されると、１行下がった記憶領域から再び右側に向かって順次記憶される。そして、５行分（４×５＝２０コマ分）記憶
さ
　【００３８】
　ＣＣＤバッファＭ１への上記記憶動作中にも、ＣＣＤバッファＭ１の記憶内容は表示バッファＭ２に転送され、その結果、ノーマルワインド式カメラ（通常のカメラ）で撮影されたフイルムカートリッジがセットされている場合には、図８（Ａ）に示すようにモニタＴＶ１０９には、左上から順次コマ画像が表示されることになる。
　【００３９】
　表示バッファＭ２には１度に２０コマ分の画像データしか記憶できないため、ＣＣＤバッファＭ１に２１コマ目の画像データが入力されると、インデックス画像を上方向にスクロールさせるように、表示バッファＭ２への画像データの書換え及び読み出しが行われる。例えば、ＣＣＤバッファＭ１に２１コマ目の画像データが入力されると、表示バッファＭ２のコマ番号１〜４の１行分の記憶領域の画像データがクリアされ、２１コマ目の画像データが書き込まれるとともに、映像信号出力時のスキャン開始アドレスを２行目に変更される。これにより、モニタＴＶ１０９では１行分だけ上方向にスクロールしたインデックス画像が表示されることになる。このようにして全コマの画像データがＣＣＤバッファＭ１に記憶されると、モニタＴＶ１０９には再びコマ番号１〜２０までのインデックス画像が表示されるように下方向にスクロール又は画面が切り替えられる。
　【００４０】
　ところで、ＣＰＵ１６０は、上記スキャン時における各コマの画像データの読取り順に各コマに対してコマ番号を１、２、…とし、各コマのコマ番号を示すキャラクター信号を出力することにより、図８に示すようにコマ番号がスーパーインポーズされたインデックス画像を表示させるようにしている。
　一方、プリワインド式カメラで撮影されたフイルムカートリッジがセットされ、例えば全コマ数が４０コマの場合には、図８（Ｂ）に示すように画像データの読取り順にコマ番号４０、３９、…がスーパーインポーズされたコマ画像をモニタＴＶ１０９の画面右下から順次表示する。これにより、各コマの撮影順とコマ番号とを一致させることができる。
　【００４１】
　尚、上記のようにして各コマの撮影順とコマ番号とを常に一致させて表示させる場合は、少なくともプリワインド式カメラで撮影されたフイルムには、プリワインドを示すデータを光学的又は磁気的に記録する必要がある。
　上記のようにしてインデックス画像の作成が行われ、インデックス画像がモニタＴＶ１０９に表示されると、続いてインデックス画像を見ながらキーパッド１２０を使用し、対話形式でモニタＴＶ１０９に１コマ表示するために必要な編集、その他の指定を行う（ステップ２０４）。
　【００４２】
　即ち、キーパッド１２０は、図１に示すように上下左右の各キー１２１〜１２４、「ＵＰ」キー１２５、「ＤＯＵＮ」キー１２６、「Ｅｘｅｃｕｔｅ」キー１２７、「Ｃａｎｃｅｌ」キー１２８の８キーから構成されている。
　さて、ＣＰＵ１６０は、図９に示すように２０コマ分のインデックス画像とともに各種の設定メニューを示す文字をモニタＴＶ１０９に表示させる。尚、「ＰＳＥＴ」はプリント枚数の設定を示し、「ＲＯＴＳ」はコマの縦横の設定を示し、「ＳＫＰＳ」は再生時における非表示コマの設定を示し、「ＶＩＥＷ」は１コマずつ再生することを示し、「ＰＬＡＹ」は各コマを一定のインターバルで連続的に再生することを示し、「ＥＮＶ」はインターバル時間や背景色等の環境設定を示し、「ＥＮＤ」はインデックス画像を用いた編集の終了を示す。
　【００４３】
　上記メニューの選択は、キーパッド１２０の「ＵＰ」，「ＤＯＵＮ」キー１２５、１２６を使用して実行したいメニューの位置にカーソル（他のメニューと色を変えて区別する）を移動させ、「Ｅｘｅｃｕｔｅ」キー１２７を押すことによって行われる。尚、メニューが選択されると、１コマ目が編集対象のコマとなり、１コマ目のコマ番号がカレント表示（そのコマ番号がブリンク表示）される。また、編集対象のコマの選択は、キーパッド１２０の上下左右のキー１２１〜１２４を操作することによって行うことができる。
　【００４４】
　いま、図９に示すように「ＳＫＰＳ」にカーソルを合わせて「Ｅｘｅｃｕｔｅ」キー１２７を押すと、スキップ設定メニューとなる。
　このスキップ設定メニューにおいて、例えばコマ番号１のコマを非表示コマとして設定する場合には、編集対象のコマとしてコマ番号１のコマを選択し、「ＵＰ」キー１２５を押す。これにより、コマ番号１のコマ内には「ＳＫＩＰ」の文字が表示される。そして、「Ｅｘｅｃｕｔｅ」キー１２７を押すと、表示バッファＭ２のコマ番号１に対応する記憶領域はクリア色で塗りつぶされるとともに、非表示コマのコマ番号１を示すデータがＣＰＵ１６０のＲＡＭ１６０Ａに記憶される。尚、ＣＣＤバッファＭ１上では画像データはそのままの状態になっているため、「ＤＯＷＮ」キー１２６を押し、コマ番号１のコマ内に「ＶＩＥＷ」の文字を表示したのち、「Ｅｘｅｃｕｔｅ」キー１２７を押すと、表示バッファＭ２のコマ番号１に対応する記憶領域にはコマ番号１に対応する画像データがＣＣＤバッファＭ１から転送され、これによりコマ表示が行われるとともに、ＲＡＭ１６０Ａに記憶された非表示コマのコマ番号１を示すデータがクリアされる。このようにして、表示／非表示コマの設定が行われる。尚、「Ｃａｎｃｅｌ」キー１２８によって設定内容をキャンセルすることもできる。
　【００４５】
　次に、コマの縦横を切り替える場合について説明する。
　この場合には、図１０に示すように「ＲＯＴＳ」にカーソルを合わせて「Ｅｘｅｃｕｔｅ」キー１２７を押し、縦横設定メニューにする。
　縦横設定メニューが選択されると、図１０に示すように編集対象のコマのコマ番号がブリンク表示されるとともに、そのコマの画像中に天地方向を示す矢印↑が表示される。この状態から「ＵＰ」キー１２５を押すと、ワンプッシュする毎に矢印の方向が９０度ずつ時計回り方向に回転し、「ＤＯＷＮ」キー１２６を押すと、ワンプッシュする毎に矢印の方向が９０度ずつ反時計回り方向に回転する。このようにして、矢印によって天地方向を選択したのち、「Ｅｘｅｃｕｔｅ」キー１２７を押すと、表示バッファＭ２の対象コマの記憶領域の画像データは、前記選択された天地方向に応じて回転させられる。尚、図７に示したように１コマの縦と横の画素数が異なるため、横から縦に回転させる場合には画像を縮小し、縦から横に回転させる場合には画像を拡大する。
　【００４６】
　次に、各コマのプリント枚数を設定する場合について説明する。
　この場合には、図１１に示すように「ＰＳＥＴ」にカーソルを合わせて「Ｅｘｅｃｕｔｅ」キー１２７を押し、プリント枚数設定メニューにする。
　プリント枚数設定メニューが選択されると、図１１に示すように編集対象のコマのコマ番号がブリンク表示されるとともに、そのコマの画像中にプリント枚数が表示される。このプリント枚数は、そのコマの画像中に予め０が表示されるようになっており、この状態から「ＵＰ」キー１２５を押すと、ワンプッシュする毎に数字が１ずつ増加し、「ＤＯＷＮ」キー１２６を押すと、ワンプッシュする毎に数字が１ずつ減少する。このようにして、プリント枚数を選択したのち、「Ｅｘｅｃｕｔｅ」キー１２７を押すと、その表示されたプリント枚数が設定され、ＣＰＵ１６０のＲＡＭ１６０Ａに格納される。
　【００４７】
　また、画像の縦横比に対応するハイビジョン、パノラマ、通常等のプリントフォーマット指定も各コマ毎に行うことができる。この場合、フォーマット指定に応じてインデックス画像のコマの縦横比を変更すれば、いずれのフォーマットが指定されたかをインデックス画像上で視認することができる。
　更に、あるコマから次のコマに表示を切り替える場合のコマ切替方法も指定することができる。例えば、あるコマから次のコマに表示を切り替える場合に、表示画面を瞬時に切り替えるコマ切替方法の他に、画面をスクロールさせて切り替えるコマ切替方法、フェードアウト／フェードインで切り替えるコマ切替方法等の指定をインデックス画像を見ながら行うことができる。
　【００４８】
　上記のようにしてインデックス画像を見ながら編集を行ったのち、「ＥＮＤ」にカーソルを合わせて「Ｅｘｅｃｕｔｅ」キー１２７を押すと、インデックス画像を用いた編集が終了する。
　インデックス画像による編集が終了すると、続いてステップ２０６（図４）において各コマ毎の編集を行うか否かが選択される。この選択もモニタＴＶ１０９の画面を見ながらキーパッド１２０を操作することによって行うことができる。
　【００４９】
　次に、各コマ毎の編集を行う場合について説明する。
　この場合には、先ず表示コマ番号を１にセットし（ステップ２０８）、続いて図５に示すようにフイルム１１４を９．２５ｍｍ／秒で順方向に１コマ分給送して、コマ番号１のコマのスキャン（本スキャン）を行う（ステップ２１０）。この本スキャン時にＣＣＤラインセンサ１４２を介して画像データがＣＣＤバッファＭ１に取り込まれる。
　【００５０】
　この画像データの取込み時には、ＣＰＵ１６０は、ＲＡＭ１６０Ａに記憶したＡＥデータ、ＡＷＢデータ等に基づいて各コマの画像データを調整しているため、各コマの撮影条件にかかわらず、良好な画像データを取り込むことができる。また、このようにしてＣＣＤバッファＭ１に取り込まれる１コマ分の画素数は、図７（Ｄ）に示すように５１２×８９６画素である。即ち、１０２４画素分のセンサを有するＣＣＤラインセンサ１４２のＣＣＤ出力を、本スキャン時には１／２に間引き、これにより１コマのフイルム給送方向と直交する方向の画素数を５１２とし、また、フイルム給送速度をインデックス画像の画像データの取込み時に比べて１／８にすることにより、インデックス画像の１コマのフイルム給送方向と同方向の画素数（１１２画素）の８倍の８９６画素としている。
　【００５１】
　上記のようにしてＣＣＤバッファＭ１に取り込まれた１コマ分の画像データは、表示バッファＭ２に転送され、この表示バッファＭ２の記憶内容が繰り返し読み出されことによりモニタＴＶ１０９に１コマの画像が表示される。尚、１コマ再生メニュー設定モード時には、図１２に示すようにコマ番号がモニタＴＶ１０９の画面左上に表示され、１コマの編集に必要な設定メニュー等を示す文字がモニタＴＶ１０９の画面右側に表示される。尚、「ＦＷＤ」は次のコマ再生を示し、「ＲＥＶ」は前のコマ再生を示し、「ＲＳＴ」は各種設定をリセットし、再スキャンを行うこと示し、「ＺＯＯＭ」はズーム設定を示し、「ＭＡＳＫ」はマスク設定を示し、「ＲＯＴ」はコマの縦横の設定を示し、「ＳＥＴ」はプリント枚数等の設定を示し、「ＩＤＸ」は前述したインデックス画像の表示を示し、「ＥＮＶ」はインターバル時間や背景色等の環境設定を示し、「ＥＮＤ」は１コマの画像を用いた編集の終了を示す。
　【００５２】
　上記メニューの選択は、前述したインデックス画像を用いた編集時と同様にキーパッド１２０の「ＵＰ」，「ＤＯＵＮ」キー１２５、１２６を使用して実行したいメニューの位置にカーソルを移動させ、「Ｅｘｅｃｕｔｅ」キー１２７を押すことによって行われる。
　いま、「ＺＯＯＭ」にカーソルを合わせて「Ｅｘｅｃｕｔｅ」キー１２７を押すと、ズーム設定メニューとなる（ステップ２１２）。このズーム設定メニューにおいて、キーパッド１２０の上下左右のキー１２１〜１２４を操作することによりポインタを適宜移動させ、ズーム中心を指示する。そして、「ＵＰ」キー１２５又は「ＤＯＷＮ」キー１２６を押すことにより、電子ズームによるズームアップ又はズームアウトを行う。このようにして所望のズーミングを行ったのち、「Ｅｘｅｃｕｔｅ」キー１２７を押すと、ズーム設定が確定し、ＣＰＵ１６０のＲＡＭ１６０Ａに記憶される（ステップ２１４）。尚、フイルム画像入力装置１００と接続されるビデオプリンタ（図示せず）でプリントする場合には、プリンタ側からのプリント指示によって行われる（ステップ２１６）。
　【００５３】
　また、上記電子ズームでは、例えば０．５〜１．５倍の範囲のズーミングができるものとする。そして、電子ズームによる倍率が１．５となり、更に「ＵＰ」キー１２５によるズームアップが指示されると、低速の本スキャンを行う。この場合、フイルム１１４を４．６３ｍｍ／秒（通常の本スキャンの速度の１／２）で順方向に給送するとともに、ＣＣＤラインセンサ１４２のＣＣＤ出力を間引かずに、前記指定されたズーム中心を基準にして取り込む。これにより、通常の本スキャン時に比べて２倍にズーミングされた画像データが取り込まれる
こ
　【００５４】
　更に、キーパッド１２０を用いながら、コマ画像に重ねて表示するタイトルを入力することができ（ステップ２１８、２２０）、そのタイトルを示す文字データはＣＰＵ１６０のＲＡＭ１６０Ａに格納され、また、「ＭＡＳＫ」にカーソルを合わせて「Ｅｘｅｃｕｔｅ」キー１２７を押すことにより、枠付け設定メニューにすることができ、キーパッド１２０を用いながら表示コマの周囲に設ける枠の大きさや位置を入力することができる（ステップ２２４、２２６）。尚、これらの入力確定後、ステップ２１６と同様にビデオプリンタによるプリントが可能となる（ステップ２２２、２２８）。
　【００５５】
　次に、表示コマのプリント枚数等を設定する場合について説明する。
　この場合には、「ＳＥＴ」にカーソルを合わせて「Ｅｘｅｃｕｔｅ」キー１２７を押し、プリント枚数設定メニューにする（ステップ２３０、２３２）。
　即ち、プリント枚数設定メニューが選択されると、図１３に示すようにそのコマの画像の左上に「ＳＥＴ」が表示されるとともに、３つの対象項目「ＰＲＩＮＴ　０」，「ＤＡＴＥ　ＯＮ」，「ＰＬＡＹ　ＶＩＥＷ」が表示される。これらの対象項目は、上・下キー１２１、１２２を操作することにより選択され、選択された対象項目はブリンク表示される。「ＰＲＩＮＴ　０」を選択すると、「ＵＰ」キー１２５、「ＤＯＵＮ」キー１２６によってプリント枚数を指定することができ、「ＤＡＴＥ　ＯＮ」を選択すると、「ＵＰ」キー１２５、「ＤＯＵＮ」キー１２６によって撮影日時をプリントするか否か（ＯＮ／ＯＦＦ）を指定することができ、「ＰＬＡＹ　ＶＩＥＷ」を選択すると、「ＵＰ」キー１２５、「ＤＯＵＮ」キー１２６によってコマの表示／非表示（ＶＩＥＷ／ＳＫＩＰ）を指定することができる。このようにしてプリント枚数等を指定したのち、「Ｅｘｅｃｕｔｅ」キー１２７を押すと、その表示されたプリント枚数等が設定され、ＣＰＵ１６０のＲＡＭ１６０Ａに格納される。尚、インデックス画像で設定したプリント枚数と、１コマ設定メニューで設定したプリント枚数とが異なる場合には、例えば１コマ設定メニューで設定したプリント枚数が優先される。
　【００５６】
　次に、表示コマのインターバル時間等を設定する場合について説明する。
　この場合には、「ＥＮＶ」にカーソルを合わせて「Ｅｘｅｃｕｔｅ」キー１２７を押し、環境設定メニューにする。
　環境設定メニューが選択されると、画像はミュートとされ、図１４に示すように「ＩＮＴＥＲＶＡＬ　ＴＩＭＥ：１０」，「ＢＡＣＫ　ＣＯＬＯＲ：ＢＬＡＣＫ」の文字のみが表示される。これらの対象項目は、上・下キー１２１、１２２を操作することにより選択され、選択された対象項目はブリンク表示される。「ＩＮＴＥＲＶＡＬ　ＴＩＭＥ：１０」を選択すると、「ＵＰ」キー１２５、「ＤＯＵＮ」キー１２６によって１コマずつ連続的に表示する際の表示時間を指定することができ、「ＢＡＣＫ　ＣＯＬＯＲ：ＢＬＡＣＫ」を選択すると、「ＵＰ」キー１２５、「ＤＯＵＮ」キー１２６によって表示コマの背景色を８色の中から指定することができる。このようにしてインターバル時間等を指定したのち、「Ｅｘｅｃｕｔｅ」キー１２７を押すと、その表示されたインターバル時間等が設定され、ＣＰＵ１６０のＲＡＭ１６０Ａに格納される。
　【００５７】
　上記のようにして表示コマの編集を行たのち、「ＥＮＤ」にカーソルを合わせて「Ｅｘｅｃｕｔｅ」キー１２７を押すと、表示コマの編集が終了し（ステップ２３４）、一方、「ＦＷＤ」又は「ＲＥＶ」にカーソルを合わせて「Ｅｘｅｃｕｔｅ」キー１２７を押すと、コマ番号を１だけ増加又は減少し（ステップ２３６）、ステップ２１０に戻る。これにより上記と同様にして別の表示コマの編集を実行することができる。
　【００５８】
　さて、表示コマの編集が終了すると（ステップ２３４）、図５に示すようにフイルム１１４を１４８．０ｍｍ／秒の高速で順方向に給送し、この給送中に予めフイルム１１４の磁気記録層１１４Ｂから読み取られてＣＰＵ１６０のＲＡＭ１６０Ａに記憶された磁気データ、前記インデックス画像を用いた編集の内容を示すデータ、表示コマを用いた編集の内容を示すデータ等がフイルム１１４の磁気記録層１１４Ｂに再び記録される（ステップ２３８）。続いて１４８．０ｍｍ／秒の高速で逆方向に巻き戻され、フイルムカートリッジ１１０が取り出される（ステップ２４０）。
　【００５９】
　一方、ステップ２０６において、表示コマを用いた編集を実行しない場合には、ステップ２４４、２４４に進み、上記ステップ２３８、２４０と同様にフイルム１１４の磁気記録層１１４Ｂへの書き込み、及びフイルムカートリッジ１１０の取出しが行われる。
　尚、図４のフローチャートでは示していないが、上記のようにして編集した編集内容に応じてフイルムの各コマを１コマずつ又は所定のインターバルで連続的にモニタＴＶ１０９に再生してフイルム画像を楽しむことができる。また、一旦編集が行われたフイルムカートリッジ１１０をローディングした場合には、その編集内容に応じてモニタＴＶ１０９に再生することができる。但し、この場合には、少なくとも１コマ再生に先立ってフイルムから磁気データ、ＡＥデータ、ＡＷＢデータ等を読み取る必要がある。更に、ノーマルワインド式カメラで撮影されたフイルムかプリワインド式カメラで撮影されたフイルムかに応じて１コマ再生時のフイルムの搬送シーケンスを変更するようにすれば、常に撮影順に再生することができる。
　【００６０】
　ところで、磁気データ及び光学データの記録が可能なフイルムの場合、同一種類の処理に対して磁気データと光学データの双方で記録されることが考えられる。撮影時に光学的に記録した光学データは書き換えることができないが、磁気データは編集時に書換えが可能であり、その結果、光学データの内容と磁気データの内容とが異なる場合が発生する。例えば、撮影時にカメラでハイビジョンのフォーマットを示すデータを光学的に記録し、その後、編集時にパノラマのフォーマットを示すデータをフイルムの磁気記録層に書き込む場合が考えられる。
　【００６１】
　そこで、ＣＰＵ１６０は、光学データ読取装置１８０及び磁気記録再生装置１８２によってそれぞれ読み取られた光学データ及び磁気データを入力し、フイルムの同一コマに対して記録されたデータ同士を比較する。そして、その比較結果に基づいて同一種類の処理に対して異なる内容を示すデータが記録されていることが検出されると、磁気データの内容に基づく処理を実行する。尚、光学データのみが記録されている場合、或いは磁気データにエラーが発生している場合には、光学データに基づいて処理を行う。また、磁気データにエラーが発見された場合には、光学データに基づいて磁気データを修正することもできる。
　【００６２】
　また、本実施例では、各コマ毎に撮影時の明るさや白バランス等の撮影条件を検知するようにしたが、これに限らず、フイルムの磁気記録層から読み取った磁気データに基づいて撮影日時が略同一のコマが複数あることは検知されると、これらのコマの撮影条件を最初のコマについて検知した撮影条件と一致させるようにしてもよい。尚、撮影日時が略同一とは、撮影日が同一で、かつ同一シーンや同一の撮影状況下で撮影していると判定できる程度に各コマの撮影時刻が近い場合をいう。
　【００６３】
　更に、本実施例では、図５に示すようにフイルムを順方向に送るときのみ、磁気データの読取り／書込み、画像データの読取りを行うようにしているが、これに限らず、図６に示すようにフイルムを逆方向に送るときに、インデックス画像の画像データの読込み、磁気データの書込み等を行うようにしてもよく、これによれば、フイルムローディングから各コマの編集等が終了してフイルムを取り出すまでの時間の短縮化を図ることができる。尚、この場合には、磁気データの読取り時と書込み時のフイルムの給送方向が逆になるため、書込み時の磁気データの送出順序を逆にする必要がある。
　【００６４】
　更にまた、本実施例では、プリワインド式カメラで撮影されたフイルムのインデックス画像の画像データの処理を図８（Ｂ）に示すようにしたが、これに限らず、フイルムの搬送シーケンスを変更し、例えば図５に示す巻戻し時（フイルムを逆方向に送る時）に画像データ等の読取りを行うようにしてもよい。
　次に、フイルムに記録されたコマの天地方向を自動判別する方法について説明する。
　【００６５】
　前述したようにプリスキャン時には、ＣＰＵ１６０は、Ａ／Ｄコンバータ１５０から点順次のＲ，Ｇ，Ｂ信号を入力し、これらの信号を処理して各コマのＡＥデータ等を検知しているが、上記Ｒ，Ｇ，Ｂ信号に基づいて図１５に示すように１コマを９つの領域に区分し、各領域毎の明るさを示すデータＥ１１〜Ｅ３３を検知し、図１６に示す処理を行うことにより各コマの天地方向を自動判別する。
　【００６６】
　即ち、図１６に示すように各コマの上記データＥ１１〜Ｅ３３を読み込み（ステップ３００）、図１５に示すように周囲４辺の明るさを示すデータＸ１，Ｘ３，Ｙ１，Ｙ３を、次式によって求める（ステップ３０２）。
　　Ｘ１＝Ｅ１１＋Ｅ１２＋Ｅ１３
　　Ｘ３＝Ｅ３１＋Ｅ３２＋Ｅ３３
　　Ｙ１＝Ｅ１１＋Ｅ２１＋Ｅ３１
　　Ｙ３＝Ｅ１３＋Ｅ２３＋Ｅ３３
　続いて、ステップ３０４からステップ３１６において、４つのデータＸ１，Ｘ３，Ｙ１，Ｙ３をそれぞれ比較し、これにより周囲４辺のうちいずれの辺が最も明るいかを判別する。そして、最も明るい辺は空や照明が近いと判断し、その辺のある方向に画像が正立していると判断する。即ち、図５に示すように天地方向を示す矢印Ａ，Ｂ，Ｃ，Ｄのうち、データＹ１に対応する辺が最も明るい場合には、矢印Ａ方向に画像が正立していると判断し、同様にしてデータＹ３に対応する辺が最も明るい場合には、矢印Ｂ方向に画像が正立していると判断し、データＸ１に対応する辺が最も明るい場合には、矢印Ｃ方向に画像が正立していると判断し、データＸ３に対応する辺が最も明るい場合には、矢印Ｄ方向に画像が正立していると判断する。
　【００６７】
　このようにしてプリスキャン時に得られる各コマの画像データから各コマの天地方向を自動的に判別することができる。ＣＰＵ１６０はこのようにして判別した天地方向を示すデータをＲＡＭ１６０Ａに記憶するとともに、各コマの天地方向に応じてインデックス画像の各コマを回転させることができる。
　尚、上記のようにして自動的に判別した各コマの天地方向は正しいとは限らないため、誤って天地方向が判別されたコマについては、前述したようにキーパッド１２０を用いて修正することもできる。また、１つのフイルムカートリッジのフイルム内において、図１５に示す矢印Ａ方向に画像が正立しているコマと、矢印Ｂ方向に画像が正立しているコマとが混在している場合は考えにくいため、このような場合にはいずれか多い方に統一するようにしてもよい。
　【００６８】
　【発明の効果】
　以上説明したように本発明に係るフイルム画像入力方法及び装置によれば、イメージセンサとしてラインセンサを使用することによりコストの低減を図ることができるとともに、ラインセンサを適用したためプリスキャンによって１本のフイルムの全コマの撮影条件を迅速に検知することができ、これによりラインセンサを使用した場合に生じる各コマの明るさ、白バランス等の撮影条件に応じた画像データの補正も迅速に行うことができる。また、１本のフイルムの全コマの画像データを迅速に取り込むことができ、これによりインデックス画像を短時間で作成することができ、そのインデックス画像を見ながら一連の画像に対する編集作業を容易に行うことができる。尚、インデックス画像は鑑賞用の画像でないため、画質は問題とされず、迅速に取り込んだ粗い画像データでも十分に作成することができる。
　【００６９】
　また、本発明によれば、プリスキャン時には高速でフイルムを給送し、本スキャン時には低速でフイルムを給送するようにしたため、プリスキャン時におけるフイルムの磁気記録層への磁気データの記録又は再生を容易に行いことができるとともに、１本のフイルムの全コマの画像データを迅速に取り込むことができ、一方、本スキャン時には１コマの細密な画像データを取り込むことができる。
　【００７０】
　更に、本発明によれば、プリワインド式カメラで撮影されたフイルムか否かによってコマ番号の順番又はフイルムの搬送シーケンスを変更することにより、常に撮影順とコマ番号とを一致させることができ、また、プリスキャン時に得られる各コマのコマ内の明るさを示すデータに基づいて自動的にそのコマの天地方向を判別するようにしたため、各コマの天地を目視によって修正せずに天地を正しく表示することができ、または目視による修正作業を大幅に低減することができる。
【図面の簡単な説明】
　【図１】
　図１は本発明に係るフイルム画像入力装置を含むシステム全体の概略構成を示す斜視図である。
　【図２】
　図２は図１に示したフイルム画像入力装置に適用されるフイルムカートリッジの一例を示す図である。
　【図３】
　図３は図１に示したフイルム画像入力装置の内部構成の一実施例を示すブロック図である。
　【図４】
　図４は図１に示したフイルム画像入力装置の作用を説明するために用いたフローチャートである。
　【図５】
　図５は図１に示したフイルム画像入力装置において搬送されるフイルムの搬送シーケンスの一例を示す図である。
　【図６】
　図６は図１に示したフイルム画像入力装置において搬送されるフイルムの搬送シーケンスの他の例を示す図である。
　【図７】
　図７（Ａ）乃至（Ｄ）は図１に示したフイルム画像入力装置におけるＣＣＤバッファ、表示バッファにおける記憶領域及びモニタＴＶの表示画面を示す図である。
　【図８】
　図８（Ａ）及び（Ｂ）はノーマルワインド式カメラとプリワインド式カメラで撮影されたフイルムのインデックス画像の処理を説明するために用いた図である。
　【図９】
　図９はインデックス画像を用いたスキップ設定を説明するために用いた図である。
　【図１０】
　図１０はインデックス画像を用いたコマの縦横設定を説明するために用いた図である。
　【図１１】
　図１１はインデックス画像を用いた各コマのプリント枚数の設定を説明するために用いた図である。
　【図１２】
　図１２は１コマ再生メニュー設定モード時のモニタ画面の一例を示す図である。
　【図１３】
　図１３は表示コマのプリント枚数等の設定を説明するために用いた図である。
　【図１４】
　図１４は表示コマの環境設定を説明するために用いた図である。
　【図１５】
　図１５は１コマを９つの領域と各領域毎の明るさを示すデータ及び天地方向記号を示す図である。
　【図１６】
　図１６は各コマの天地方向を自動判別する処理を説明するために用いたフローチャートである。
　【符号の説明】
　１００…フイルム画像入力装置
　１０２…フイルムカートリッジトレー、
　１０９…モニタＴＶ
　１１０…フイルムカートリッジ
　１１４…写真フイルム
　１１４Ａ…パーフォレーション
　１１４Ｂ…磁気記録層
　１２０…キーパッド
　１３０…光源
　１３４…絞り
　１３
６
　１４０…ＣＣＤ回路ユニット
　１４２…ＣＣＤラインセンサ
　１５０…Ａ／Ｄコンバータ
　１５１…第１信号処理回路
　１５２…第２信号処理回路
　１５３…第３信号処理回路
　１５４…メモリ制御回路
　１５６…Ｄ／Ａコンバータ
　１５８…ビデオ出力端子
　１６０…中央処理装置（ＣＰＵ）
　１６０Ａ…ＲＡＭ
　１６４…絞り制御回路
　１７０…フイルム駆動メカ
　１８０…光学データ読取装置
　１８２…磁気記録再生装置
　Ｍ１…ＣＣＤバッファ
　Ｍ２…表示バッファ